(57)【要約】      （修正有）【課題】異なる端末のために設定されたチャネルのリソース間の衝突に関連する従来技術における問題を解決できるリソース設定及び基地局のための方法及び装置を提供する。【解決手段】方法は、第１の端末に割り当てられた第１のタイプのチャネルのリソースと、第２の端末に割り当てられた第２のタイプのチャネルのリソースとが指定された条件を満たすとき、第２のタイプのチャネルのリソース内の第１のリソースの時間領域位置を延期することを含む。一側面では、従来技術における異なる端末に対して設定されているチャネルのリソース間で発生する衝突を回避するという問題を解決でき、これにより、チャネルのリソースの衝突を回避し、通信効率を向上させることができる。【選択図】図２
2020115689.tif 000002
【特許請求の範囲】
【請求項１】
リソース設定のための方法であって、
物理ランダムアクセスチャネル（ＰＲＡＣＨ）上の一又は複数の設定されたリソースに基づいて、狭帯域の物理アップリンク共用チャネル（ＰＵＳＣＨ）上の送信のためのリソースが、前記ＰＲＡＣＨ上の前記一又は複数の設定されたリソースと重複するリソースを含むと判断し、
前記狭帯域のＰＵＳＣＨでの送信のためのリソース要素を決定することと
を含み、
時間領域におけるユニットが、前記ＰＲＡＣＨ上の一又は複数の設定されたリソースと重複しなくなるまで、前記狭帯域のＰＵＳＣＨ上の送信の一部が延期され、これにより、前記ＰＲＡＣＨ上の一又は複数の設定されたリソースの起因する前記狭帯域のＰＵＳＣＨ上の送信の延期が生じ、
前記狭帯域のＰＵＳＣＨ上の送信の長さが、所定の閾値以上である場合、前記狭帯域のＰＵＳＣＨにおける送信におけるギャップは、前記ＰＲＡＣＨ上の一又は複数の設定されたリソースに起因する延期と一致する、方法。
【請求項２】
請求項１において、前記時間領域におけるユニットは、前記ＰＲＡＣＨ上の一又は複数の設定されたリソースと重複しない最初のスロットを含む方法。
【請求項３】
請求項１において、前記時間領域におけるユニットは、前記ＰＲＡＣＨ上の一又は複数の設定されたリソースの後の整数ミリ秒である方法。
【請求項４】
請求項１において、
前記ＰＲＡＣＨ上の送信の長さが所定の閾値以上である場合、前記ＰＲＡＣＨ上の一又は複数の設定されたリソースの後に、第２のギャップが位置することを更に含む方法。
【請求項５】
請求項４において、前記時間領域におけるユニットは、前記第２のギャップ内の最初のスロットを含む方法。
【請求項６】
リソース設定のための装置であって、
（１）物理ランダムアクセスチャネル（ＰＲＡＣＨ）上の一又は複数の設定されたリソースに基づいて、狭帯域の物理アップリンク共用チャネル（ＰＵＳＣＨ）上の送信のためのリソースが、前記ＰＲＡＣＨ上の前記一又は複数の設定されたリソースと重複するリソースを含むと判断し、（２）前記狭帯域のＰＵＳＣＨでの送信のためのリソース要素を決定するよう構成されたプロセッサと、
前記ＰＵＳＣＨ上の送信を実行するよう構成された送信機と
を備え、
時間領域におけるユニットがＰＲＡＣＨ上の送信のためにマッピングされた１つ以上の設定されたリソースと重複しなくなるまで、前記狭帯域のＰＵＳＣＨ上の送信の一部を延期するようにされ、これにより、前記ＰＲＡＣＨ上の一又は複数の設定されたリソースの起因する前記狭帯域のＰＵＳＣＨ上の送信の延期が生じ、
前記狭帯域のＰＵＳＣＨ上の送信の長さが、所定の閾値以上である場合、前記狭帯域のＰＵＳＣＨにおける送信におけるギャップは、前記ＰＲＡＣＨ上の一又は複数の設定されたリソースに起因する延期と一致する
ことを特徴とする装置。
【請求項７】
請求項６において、前記時間領域におけるユニットは、前記ＰＲＡＣＨ上の一又は複数の設定されたリソースと重複しない第１のスロットである装置。
【請求項８】
請求項６において、前記時間領域におけるユニットは、前記ＰＲＡＣＨ上の一又は複数の設定されたリソースの後の整数ミリ秒である装置。
【請求項９】
請求項６において、前記プロセッサは、前記ＰＲＡＣＨ上の送信の長さが所定の閾値以上である場合、第２のギャップが、前記ＰＲＡＣＨ上の一又は複数の設定されたリソースの後に位置する装置。
【請求項１０】
請求項９において、前記時間領域におけるユニットは、前記第２のギャップ内の最初のスロットを含む装置。
【請求項１１】
コードが記憶された非一時的なコンピュータ可読媒体であって、前記コードは、プロセッサによって実行されると、前記プロセッサに、方法を実行させ、前記方法は、
物理ランダムアクセスチャネル（ＰＲＡＣＨ）上の一又は複数の設定されたリソースに基づいて、狭帯域の物理アップリンク共用チャネル（ＰＵＳＣＨ）上の送信のためのリソースが、前記ＰＲＡＣＨ上の前記一又は複数の設定されたリソースと重複するリソースを含むと判断することと、
前記狭帯域のＰＵＳＣＨでの送信のためのリソース要素を決定することと
を含み、
時間領域におけるユニットが前記ＰＲＡＣＨ上の一又は複数の設定されたリソースと重複しなくなるまで、前記狭帯域のＰＵＳＣＨ上の送信の一部を延期し、これにより、前記ＰＲＡＣＨ上の一又は複数の設定されたリソースの起因する前記狭帯域のＰＵＳＣＨ上の送信の延期が生じ、
前記狭帯域のＰＵＳＣＨ上の送信の長さが、所定の閾値以上である場合、前記狭帯域のＰＵＳＣＨにおける送信におけるギャップは、前記ＰＲＡＣＨ上の一又は複数の設定されたリソースに起因する延期と一致する、ことを含む非一時的なコンピュータ可読媒体。
【請求項１２】
請求項１１において、前記時間領域におけるユニットは、前記ＰＲＡＣＨ上の一又は複数の設定されたリソースと重複しない最初のスロットである非一時的なコンピュータ可読媒体。
【請求項１３】
請求項１１において、前記時間領域におけるユニットは、前記ＰＲＡＣＨ上の一又は複数の設定されたリソースの後の整数ミリ秒である非一時的なコンピュータ可読媒体。
【請求項１４】
請求項１１において、前記方法は、
前記ＰＲＡＣＨ上の送信の長さが所定の閾値以上である場合、前記ＰＲＡＣＨ上の一又は複数の設定されたリソースの後に、第２のギャップが位置することを更に含む非一時的なコンピュータ可読媒体。
【請求項１５】
請求項１４において、前記時間領域におけるユニットは、前記第２のギャップ内の最初のスロットを含む非一時的なコンピュータ可読媒体。
【発明の詳細な説明】
【技術分野】
【０００１】
本開示は、通信技術に関し、詳しくは、リソース設定のための方法及び装置、並びに基地局に関する。
【背景技術】
【０００２】
マシンタイプ通信（Machine Type Communication：ＭＴＣ）のためのユーザ装置（User Equipment：ＵＥ）（ＭＴＣＵＥ）は、マシンツーマシン（Machine to Machine：Ｍ２Ｍ）ユーザ通信デバイスとも呼ばれ、現在、モノのインターネット（Internet of Things：ＩｏＴ）の主なアプリケーション形式の１つである。第３世代パートナーシッププロジェクト（3rd Generation Partnership Project：３ＧＰＰ）テクニカルレポート（Technical Report：ＴＲ）４５．８２０Ｖ２００では、セルラＩｏＴに適した幾つかの技術が開示されており、これらのうち、ＮＢ−ＩｏＴ技術が最も注目されている技術の１つである。
【０００３】
ＩｏＴでは、膨大な数のユーザ通信デバイスがサポートされるため、単一副搬送波ベースバンド処理能力のみをサポートする端末や、複数副搬送波ベースバンド処理能力をサポートする端末等、多くのタイプの端末がサポートされることとなる。異なる端末に対して設定された物理チャネルのリソースが衝突した場合、ＮＢ−ＩｏＴ実装は衝突問題に対処するための実現可能なソリューションを必要とする。
【発明の概要】
【発明が解決しようとする課題】
【０００４】
従来技術では、これまでのところ、異なる端末のために設定されたチャネルのリソース間の衝突を回避することに関連する問題に対する実現可能な解決法は存在していない。
【課題を解決するための手段】
【０００５】
本開示の実施形態は、少なくとも、異なる端末のために設定されたチャネルのリソース間の衝突に関連する従来技術における問題を解決できるリソース設定及び基地局のための方法及び装置を提供する。
【０００６】
本開示の実施形態の一側面は、リソース設定のための方法を提供する。この方法は、第２のタイプのチャネルのリソース及び第１の端末に割り当てられた第１のタイプのチャネルのリソースが指定された条件を満たす場合、第２の端末に割り当てられた第２のタイプのチャネルのリソース内の第１のリソースの時間領域位置を延期することを含む。
【０００７】
オプションとして、第１のタイプのチャネルは、ランダムアクセスチャネルを含み、及び／又は第２のタイプのチャネルは、アップリンクデータチャネル、アップリンクトラフィックチャネル、アップリンク制御チャネル、ハイブリッド自動再送要求（Hybrid Automatic Repeat reQuest：ＨＡＲＱ）応答メッセージを搬送するチャネル、及びサウンディングチャネル（sounding channel）を含む。
【０００８】
オプションとして、第１のタイプのチャネルがランダムアクセスチャネルである場合、第１のタイプのチャネルの送信において、第１のタイプのチャネルのための送信ギャップＧａｐ１が設定される。ランダムアクセスチャネル上で送信されるランダムアクセス信号の繰り返し送信の数Ｒ１は、第１の閾値Ｒ１ｓｅｔ以上になるように設定される。
オプションとして、Ｒ１ｓｅｔの値は以下の手法のうちの少なくとも１つによって決定してもよい。Ｒ１ｓｅｔのデフォルト設定を使用する。Ｒ１ｓｅｔのデフォルト設定を使用し、Ｒ１の値の集合からＲ１ｓｅｔの値を選択する。シグナリングを介してＲ１ｓｅｔの値を設定する。シグナリングを介してＲ１ｓｅｔの値を設定し、Ｒ１の値の集合からＲ１ｓｅｔの値を選択する。Ｔ＿Ｕｎｉｔ１＊Ｒ１ｓｅｔが第２の閾値Ｔ１ｓｅｔ以下であるという条件を満たす最大整数としてＲ１ｓｅｔを設定し、ここで、Ｔ＿Ｕｎｉｔ１はランダムアクセス信号の１回の送信に対応する時間長であり、Ｔ１ｓｅｔにはデフォルト設定が使用され、又はＴ１ｓｅｔはシグナリングを介して設定された値を有する。Ｒ１の値の集合からＲ１ｓｅｔの値を選択し、Ｔ＿Ｕｎｉｔ１＊Ｒ１ｓｅｔがＴ１ｓｅｔ以下であるという条件を満たすＲ１の値の集合における最大値をＲ１ｓｅｔとして設定することであって、Ｔ＿Ｕｎｉｔ１は、ランダムアクセス信号の１回の送信に対応する時間長であり、Ｔ１ｓｅｔにはデフォルト設定が使用され、又はＴ１ｓｅｔは、シグナリングを介して設定された値を有する。
【０００９】
オプションとして、指定された条件は、第１のタイプのチャネルのリソースと、第２のタイプのチャネルのリソースとが重複する領域を有すること、第１のタイプのチャネルのリソースが位置する時間領域位置と、第２のタイプのチャネルのリソースが位置する時間領域位置とが重複又は部分的に重複し、第１のタイプのチャネルのリソースが位置する周波数領域位置が、第２のタイプのチャネルのリソースが位置する周波数領域位置に含まれること、第１のタイプのチャネルのリソースが位置する時間領域位置と、第２のタイプのチャネルのリソースが位置する時間領域位置とが重複又は部分的に重複し、Ａを０より大として、第１のタイプのチャネルのリソースが位置する周波数領域位置と、第２のタイプのチャネルのリソースが位置する周波数領域位置との間のギャップがＡＨｚ以下であること、ｃ％の値をデフォルト値又はシグナリングによって設定された値として、第１のタイプのチャネルに対するリソースと第２のタイプのチャネルに対するリソースとの間の重複部分と、第２のタイプのチャネルの周波数領域帯域幅との比がｃ％以上であること、Ｗ１及びＷ２を０より大きい整数とし、ｄを０より大きい整数として、第１のタイプのチャネルのリソースと第２のタイプのチャネルのリソースとの間の時間領域重複領域の長さと、第２のタイプのチャネルのリソースの時間領域長との比がｄ％以上であり、時間領域重複領域の長さは、Ｗ１個の第１のメトリックユニットに等しく、又は時間領域重複領域の長さは、Ｗ２個の第２のタイプのチャネルの１回の送信によって占有されるリソースの時間領域長に等しいことのうちの少なくとも１つである。
【００１０】
オプションとして、Ａは、ｍを０より大として、第１のタイプのチャネルの副搬送波間隔Ｓ１の数ｍである。
オプションとして、ｍは、デフォルトで１又は２に設定され、又はｍは、シグナリングを介して設定され、｛０，１，２，３｝、｛０，１，２，４｝、又は｛１，２，３，４｝から選択された値を有する。
【００１１】
オプションとして、Ｓ１＝３．７５ｋＨｚである。
オプションとして、ｎを０より大として、Ａは、第２のタイプのチャネルの副搬送波間隔Ｓ２の数ｎである。
オプションとして、ｎは、デフォルトで１又は２に設定され、又はｎは、シグナリングを介して設定され、｛０，１，２，３｝、｛０，１，２，４｝、又は｛１，２，３，４｝から選択された値を有する。
オプションとして、Ｓ２＝３．７５ｋＨｚである。
オプションとして、ｎは、デフォルトで１又は２に設定され、又はｎは、シグナリングを介して設定され、｛０，１｝又は｛１，２｝から選択された値を有する。
オプションとして、Ｓ２＝１５ｋＨｚである。
オプションとして、延期処理は、第１のタイプのチャネルの送信の終了時刻Ｅｎｄ１における第１のメトリックユニット又は第１のメトリックユニットのインデックスをｍとし、ｋを整数とし、第２のタイプのチャネルのリソース内の第１のリソースが位置する延期された時間領域位置の開始時刻をＳｔａｒｔ２とし、Ｓｔａｒｔ２＝ｍ＋ｋとすることによって、第２のタイプのチャネルのリソース内の第１のリソースが位置する時間領域位置に対して実行される。
【００１２】
オプションとして、第１のタイプのチャネルがランダムアクセスチャネルである場合、第１のタイプのチャネルの送信の終了時刻Ｅｎｄ１は、ランダムアクセスチャネル上のランダムアクセス信号の送信が終了する時刻、ガードタイム（ＧＴ）が終了する時刻、ランダムアクセスチャネルの送信において複数のＧＴが設定されている場合、複数のＧＴのうちの最後のＧＴが終了する時刻、ランダムアクセスチャネルの送信において送信ギャップが設定されている場合、送信ギャップが終了する時刻、ランダムアクセスチャネルの送信において送信ギャップが設定されている場合、ランダムアクセスチャネル上のランダムアクセス信号の送信が終了する時刻、ランダムアクセスチャネルの送信において送信ギャップが設定されている場合、ＧＴが終了する時刻、ランダムアクセスチャネルの送信において送信ギャップが設定されている場合、最後のＧＴが終了する時刻、ランダムアクセスチャネルの送信において複数の送信ギャップが設定されている場合、複数の送信ギャップのうちの最後の送信ギャップが終了する時刻、ランダムアクセスチャネルの送信において複数の送信ギャップが設定されている場合、ランダムアクセスチャネル上のランダムアクセス信号の送信が終了する時刻、ランダムアクセスチャネルの送信において複数の送信ギャップが設定されている場合、ＧＴが終了する時刻、及びランダムアクセスチャネルの送信において複数の送信ギャップが設定されている場合、最後のＧＴが終了する時刻のうちの少なくとも１つに位置する。
【００１３】
オプションとして、第１のタイプのチャネルの送信の終了時刻Ｅｎｄ１は、第１のタイプのチャネルの送信の開始時刻Ｓｔａｒｔ１と、第１のタイプのチャネルの送信の時間長Ｔ＿Ｌｅｎｇｔｈ１とに基づいて判定される。
オプションとして、第１のタイプのチャネルの送信の時間長Ｔ＿Ｌｅｎｇｔｈ１は、第１のタイプのチャネルの送信のための基本ユニットの時間長Ｔ＿Ｕｎｉｔ１、第１のタイプのチャネルの送信のための基本ユニットの繰り返し送信の数Ｒ１、及び第１のタイプのチャネルの送信のためのガードタイムＧＴ１のうちの少なくとも１つに基づいて判定される。
【００１４】
オプションとして、第１のタイプのチャネルの送信の時間長Ｔ＿Ｌｅｎｇｔｈ１は、Ｔ＿Ｌｅｎｇｔｈ１＝Ｔ＿Ｕｎｉｔ１＊Ｒ１、及びＴ＿Ｌｅｎｇｔｈ１＝Ｔ＿Ｕｎｉｔ１＊Ｒ１＋ＧＴのうちの少なくとも１つに基づいて判定される。
【００１５】
オプションとして、Ｔ＿Ｌｅｎｇｔｈ１は、以下の１）〜３）のうちの少なくとも１つに基づいて判定される。
【００１６】
１）Ｒ１がＲ１ｓｅｔ以下又はＴ＿Ｕｎｉｔ１＊Ｒ１がＴ１ｓｅｔ以下の場合、Ｔ＿Ｌｅｎｇｔｈ１＝Ｔ＿Ｕｎｉｔ１＊Ｒ１、又はＴ＿Ｌｅｎｇｔｈ１＝Ｔ＿Ｕｎｉｔ１＊Ｒ１＋ＧＴ
【００１７】
２）Ｒ１がＲ１ｓｅｔ以上又はＴ＿Ｕｎｉｔ１＊Ｒ１がＴ１ｓｅｔ以上の場合、
【数１】
2020115689.tif 000003
【００１８】
ただし、Ｎｕｍ＝Ｒ１／Ｒ１ｓｅｔ、Ｒ１＿ｓｕｂｓｅｔｊ＝Ｒ１ｓｅｔ、ｊ＝１〜Ｎｕｍ、及びＧａｐ１ｊ＝Ｇａｐ１、
【００１９】
３）Ｒ１がＲ１ｓｅｔ以上又はＴ＿Ｕｎｉｔ１＊Ｒ１がＴ１ｓｅｔ以上の場合、
【数２】
2020115689.tif 000004
Ｎｕｍ＝Ｒ１／Ｒ１ｓｅｔ、Ｒ１＿ｓｕｂｓｅｔｊ＝Ｒ１ｓｅｔ、ｊ＝１〜Ｎｕｍ、Ｇａｐ１ｊ＝Ｇａｐ１、ｊ＝１〜Ｎｕｍ、又はＧａｐ１ｊ＝ＧＴ１、ｊ＝Ｎｕｍ
【００２０】
オプションとして、Ｔ＿Ｌｅｎｇｔｈ１は、以下に基づいて判定される。
４）Ｒ１がＲ１ｓｅｔ以上又はＴ＿Ｕｎｉｔ１＊Ｒ１がＴ１ｓｅｔ以上の場合、
【数３】
2020115689.tif 000005
ただし、
【数４】
2020115689.tif 000006
であり、
Ｒ１＿ｓｕｂｓｅｔｊ＝Ｒ１ｓｅｔ、ｊ＝１〜Ｎｕｍ−１、又はＲ１＿ｓｕｂｓｅｔｊ＝Ｒ１−Ｒ１ｓｅｔ＊（Ｎｕｍ−１）、ｊ＝Ｎｕｍである。
【００２１】
オプションとして、Ｒ１がＲ１ｓｅｔによって割り切れない場合、Ｇａｐ１ｊ＝Ｇａｐ１、ｊ＝１〜Ｎｕｍ−１、及びＧａｐ１ｊ＝０、ｊ＝Ｎｕｍである。
オプションとして、Ｒ１＿ｓｕｂｓｅｔｊがＲ１ｓｅｔより小さい場合、Ｇａｐ１ｊ＝０、ｊ＝Ｎｕｍである。
オプションとして、ｅを定数としてＲ１＿ｓｕｂｓｅｔｊがｅ×Ｒ１ｓｅｔ以下であるとき、Ｇａｐ１ｊ＝０、ｊ＝Ｎｕｍである。
オプションとして、０＜ｅ＜１又は、０≦ｅ≦１である。
オプションとして、第１のリソースは、インデックスがｊであるリソースユニットＲＵ（ｊ）からインデックスがＮ−１であるリソースユニットＲＵ（Ｎ−１）までのＮ−ｊ個のリソースユニットを含み、第２のタイプのチャネルのリソースは、それぞれ０〜Ｎ−１のインデックスを有するＮ個のＲＵからなる。
【００２２】
オプションとして、ＲＵ（ｊ）は、指定された条件を満たすＲＵのうち、最初のＲＵ又は最小のインデックスを有するＲＵである。
オプションとして、ＲＵは、Ｐを正の整数として、Ｐ個の第１のメトリックユニット又は第２のタイプのチャネルの１回の送信によって占有されるリソースの時間領域長である時間領域長を有する。
【００２３】
オプションとして、Ｐの値は、１ｍｓ、２ｍｓ、４ｍｓ、８ｍｓ、１６ｍｓ、及び３２ｍｓのいずれかである。
【００２４】
第２のタイプのチャネルに割り当てられた周波数領域副搬送波間隔が３．７５ｋＨｚである場合、Ｐ＝３２ｍｓであり、第２のタイプのチャネルに割り当てられた周波数領域の副搬送波間隔が１５ｋＨｚである場合、Ｐ＝８ｍｓであり、第２のタイプのチャネルに割り当てられた周波数領域の副搬送波間隔が３．７５ｋＨｚであり、第２のタイプのチャネルが１個の信号搬送波で送信される場合、Ｐ＝３２ｍｓであり、第２のタイプのチャネルに割り当てられた周波数領域の副搬送波間隔が１５ｋＨｚであり、第２のタイプのチャネルが１個の信号搬送波で送信される場合、Ｐ＝８ｍｓであり、第２のタイプのチャネルに割り当てられた周波数領域の副搬送波間隔が１５ｋＨｚであり、第２のタイプのチャネルが複数の搬送波に亘って送信される場合、Ｐ＝１ｍｓ、２ｍｓ、又は４ｍｓであり、第２のタイプのチャネルに割り当てられた周波数領域の副搬送波間隔が３．７５ｋＨｚであり、第２のタイプのチャネルが１個の信号搬送波で送信される場合、Ｐ＝８ｍｓであり、第２のタイプのチャネルに割り当てられた周波数領域の副搬送波間隔が１５ｋＨｚであり、第２のタイプのチャネルが１個の信号搬送波で送信される場合、Ｐ＝２ｍｓである。
【００２５】
オプションとして、ＲＵは、Ｑ個の副搬送波又はサブチャネルの周波数領域長を有する。
オプションとして、Ｑは、１、３、６、９、及び１２のうちの少なくとも１つの値を有する。
オプションとして、Ｑは、第２のタイプのチャネルに割り当てられた副搬送波数又はサブチャネル数に等しい値を有する。
オプションとして、第２のタイプのチャネルの送信のために第２のタイプのチャネルの送信ギャップを設定する必要がある場合、第２のタイプのチャネルのリソースを構成するＮ個のＲＵは、第２のタイプのチャネルの送信ギャップによって占有されるＲＵを含む。
【００２６】
オプションとして、ＲＵ（ｊ）は、指定された条件を満たし、第２のタイプのチャネルの送信ギャップによって占有されるＲＵではない最初のＲＵ、及び指定された条件を満たし、第２のタイプのチャネルの送信ギャップによって占有されるＲＵではない最小のインデックスを有するＲＵを含む。
【００２７】
オプションとして、ＲＵ（ｊ）は、第１のタイプのチャネルの送信のために第１のタイプのチャネルの送信ギャップを設定する必要がある場合、指定された条件を満たすＲＵのうち最初のＲＵ又は最小のインデックスを有するＲＵであり、第１のタイプのチャネルのリソースは、第１のタイプのチャネルの送信ギャップによって占有されるリソースを含まない。
【００２８】
オプションとして、この方法は、ＲＵ（ｊ）が存在しない場合、第２のタイプのチャネルの送信を延期しないことを更に含む。
オプションとして、延期処理は、第１のタイプのチャネルにおいて送信ギャップＧａｐ１が設定されている場合、ｍが第２のタイプのチャネルのリソースの終了時刻Ｅｎｄ２の後の第１の送信ギャップＧａｐ１の開始時刻が位置する第１のメトリックユニット又は第１のメトリックユニットのインデックスであり、ｋが０以上であるとき、第２のタイプのチャネルのリソース内の第１のリソースが位置する延期された時間領域位置の開始時刻をＳｔａｒｔ２とし、Ｓｔａｒｔ２＝ｍ＋ｋとし、又は第１のタイプのチャネルにおいて送信ギャップＧａｐ１が設定されている場合、ｍがリソースユニットＲＵ（ｊ）の終了時刻の後の第１の送信ギャップＧａｐ１の開始時刻が位置する第１のメトリックユニット又は第１のメトリックユニットのインデックスであり、ｋが０以上であるとき、第２のタイプのチャネルのリソース内の第１のリソースが位置する延期された時間領域位置の開始時刻をＳｔａｒｔ２とし、Ｓｔａｒｔ２＝ｍ＋ｋとすることによって、第２のタイプのチャネルのリソース内の第１のリソースが位置する時間領域位置に対して実行される。
【００２９】
オプションとして、第１のタイプのチャネルのリソースと第２のタイプのチャネルのリソースとが部分的に重複している場合、第２のタイプのチャネルで搬送されるデータ、トラフィック、情報、及び信号のうちの１つは、第１のタイプのチャネルのリソースと重複しない第２のタイプのチャネルのリソースを介して送信される。
オプションとして、第２のタイプのチャネルが占有する周波数領域帯域幅と第１のタイプのチャネルの周波数領域リソースとの重複部分と、第２のタイプのチャネルに設定された周波数領域帯域幅との比が、ｃ１を０以上として、ｃ１％以下である場合、第２のタイプのチャネル上で搬送されるデータ、トラフィック、情報、及び信号のうちの１つは、第１のタイプのチャネルのリソースと重複しない第２のタイプのチャネルのリソースを介して送信される。
【００３０】
オプションとして、指定された条件が満たされ、第１のタイプのチャネルのリソースと第２のタイプのチャネルのリソースとの時間領域重複領域の長さと第２のタイプのチャネルのリソースの時間領域長との比が、ｄを０以上として、ｄ％以下の場合、第２のタイプのチャネルの送信を延期しない。
オプションとして、時間領域重複領域の長さは、Ｗ１個の第１のメトリックユニットに等しく、又は時間領域重複領域の長さは、Ｗ２個の第２のタイプのチャネルの１回の送信によって占有されるリソースの時間領域長に等しい。
【００３１】
オプションとして、指定された条件が満たされ、第２の端末のレベルインデックスが所定のレベルインデックス以上である場合、第２のタイプのチャネルの送信は、延期されず、所定のレベルインデックスは、デフォルトとして又はシグナリングを介して設定される。
オプションとして、指定された条件が満たされ、第２のタイプのチャネルの繰り返し送信の回数が所定の値以上である場合、第２のタイプのチャネルの送信は、延期されず、所定の値は、デフォルトとして又はシグナリングを介して設定される。
【００３２】
オプションとして、第２のタイプのチャネルは、ハイブリッド自動再送要求（ＨＡＲＱ）応答メッセージを搬送するチャネルである。
オプションとして、第１のタイプのチャネルがランダムアクセスチャネルである場合、第１の端末は１つ以上の端末を含む。
オプションとして、第１の端末が複数の端末を含む場合、複数の端末は、複数の端末が同じカバレッジ向上レベルを有すること、複数の端末が同じレベルのランダムアクセス信号の繰り返し送信を有すること、及び複数の端末が同じ回数のランダムアクセス信号の繰り返し送信を有することのうちの１つを満たす。
【００３３】
本開示の実施形態の別の側面によれば、リソース設定のための装置が提供される。この装置は、第１の端末に割り当てられた第１のタイプのチャネルのリソースと、第２の端末に割り当てられた第２のタイプのチャネルのリソースとが特定の条件を満たす場合、第２のタイプのチャネルのリソース内の第１のリソースが位置する時間領域位置に対し延期処理を実行するよう構成された延期モジュールを備える。
【００３４】
オプションとして、第１のタイプのチャネルはランダムアクセスチャネルを含み、及び／又は第２のタイプのチャネルは、アップリンクデータチャネル、アップリンクトラフィックチャネル、アップリンク制御チャネル、ハイブリッド自動再送要求（ＨＡＲＱ）応答メッセージを搬送するチャネル、及びサウンディングチャネルの１つを含む。
【００３５】
オプションとして、指定された条件は、第１のタイプのチャネルのリソースと、第２のタイプのチャネルのリソースとがする領域を有すること、第１のタイプのチャネルのリソースが位置する時間領域位置と、第２のタイプのチャネルのリソースが位置する時間領域位置とが重複又は部分的に重複し、第１のタイプのチャネルのリソースが位置する周波数領域位置が、第２のタイプのチャネルのリソースが位置する周波数領域位置に含まれること、第１のタイプのチャネルのリソースが位置する時間領域位置と、第２のタイプのチャネルのリソースが位置する時間領域位置とが重複又は部分的に重複し、Ａを０より大として、第１のタイプのチャネルのリソースが位置する周波数領域位置と、第２のタイプのチャネルのリソースが位置する周波数領域位置との間のギャップがＡＨｚ以下であること、ｃ％の値をデフォルト値又はシグナリングによって設定された値として、第１のタイプのチャネルに対するリソースと第２のタイプのチャネルに対するリソースとの間の重複部分と、第２のタイプのチャネルの周波数領域帯域幅との比がｃ％以上であること、及びＷ１及びＷ２を０より大きい整数とし、ｄを０より大きい整数として、第１のタイプのチャネルのリソースと第２のタイプのチャネルのリソースとの間の時間領域重複領域の長さと、第２のタイプのチャネルのリソースの時間領域長との比がｄ％以上であり、時間領域重複領域の長さは、Ｗ１個の第１のメトリックユニットに等しく、又は時間領域重複領域の長さは、Ｗ２個の第２のタイプのチャネルの１回の送信によって占有されるリソースの時間領域長に等しいことのうちの少なくとも１つである。
【００３６】
本開示の実施形態の別の側面によれば、基地局が提供される。基地局は、上述したようなリソース設定のための装置のいずれかを含む。
【００３７】
本開示の実施形態の更に別の側面によれば、記憶媒体が提供される。記憶媒体は、第１の端末に割り当てられた第１のタイプのチャネルのリソースと、第２の端末に割り当てられた第２のタイプのチャネルのリソースとが特定の条件を満たす場合、第２のタイプのチャネルのリソース内の第１のリソースが位置する時間領域位置に対し延期処理を実行するステップを実行するためのプログラムコードを格納するように構成されている。
本開示の実施形態では、第１のタイプのチャネルのリソース及び異なる端末の第２のタイプのチャネルのリソースとが特定の条件を満たすとき、第２のタイプのチャネルのリソースのうち第１のリソースが位置する時間領域の位置に対して延期処理が実行される。これにより、異なる端末に対して設定されているリソースの同時処理を回避できる。これにより、従来の異なる端末に対して設定されているチャネルのリソース間での衝突回避の問題を解決でき、チャネルのリソースの衝突を回避し、通信効率を向上させることができる。
本開示は、本開示の一部を構成する以下の図を参照して更に明瞭になる。本開示の例示的な実施形態及びその説明は、本開示を限定する目的はなく、説明のために提供される。以下は、図の説明である。
【図面の簡単な説明】
【００３８】
【図１】本開示の一実施形態に基づくハードウェア構成を示すブロック図である。
【図２】本開示の一実施形態に基づくリソース設定の方法を示すフローチャートである。
【図３】本開示の一実施形態に基づくリソース設定のための装置の構成を示すブロック図である。
【図４】本発明の一実施形態に基づくプリアンブル基本ユニットの送信構造を示す略図１である。
【図５】本開示の一実施形態に基づくプリアンブル基本ユニットの６４回の繰り返し送信の構造を示す略図１である。
【図６】本開示の一実施形態に基づくプリアンブル基本ユニットの６４回の繰り返し送信の構造を示す略図２である。
【図７】本開示の一実施形態に基づくプリアンブル基本ユニットの６４回の繰り返し送信の構造を示す略図３である。
【図８】本開示の一実施形態に基づくプリアンブル基本ユニットの６４回の繰り返し送信の構造を示す略図４である。
【図９】本開示の一実施形態に基づくプリアンブル基本ユニットの６４回の繰り返し送信の構造を示す略図５である。
【図１０】本開示の一実施形態に基づくＰＵＳＣＨ送信の位置を示す略図１である。
【図１１】本開示の実施形態に基づく延期されたＰＵＳＣＨ送信を示す略図１である。
【図１２】本開示の一実施形態に基づくＰＵＳＣＨ送信の位置を示す略図２である。
【図１３】本開示の実施形態に基づく延期されたＰＵＳＣＨ送信を示す略図２である。
【図１４】本開示の一実施形態に基づくＰＵＳＣＨ送信の位置を示す略図３である。
【図１５】本開示の実施形態に基づく延期されたＰＵＳＣＨ送信を示す略図３である。
【図１６】本開示の一実施形態に基づくプリアンブル基本ユニットの６４回の繰り返し送信の構造を示す略図６である。
【図１７】本開示の一実施形態に基づくＰＵＳＣＨ送信の位置を示す略図４である。
【図１８】本開示の実施形態に基づく延期されたＰＵＳＣＨ送信を示す略図４である。
【図１９】本開示の一実施形態に基づくプリアンブル基本ユニットの６４回の繰り返し送信の構造を示す略図７である。
【図２０】本開示の一実施形態に基づくＰＵＳＣＨ送信の位置を示す略図５である。
【図２１】本開示の実施形態に基づく延期されたＰＵＳＣＨ送信を示す略図５である。
【図２２】本発明の実施形態に基づくプリアンブル基本ユニットの送信の構造を示す略図２である。
【図２３】本開示の一実施形態に基づく、プリアンブル基本ユニットの６４回の繰り返し送信の構造を示す略図８である。
【図２４】本開示の一実施形態に基づくスロット構造を示す略図１である。
【図２５】本開示の一実施形態に基づくＰＵＳＣＨの送信の構造を示す略図１である。
【図２６】本開示の一実施形態に基づく、ＰＵＳＣＨ送信及びＰＡＲＣＨ送信によって占有されるリソースを示す略図１である。
【図２７】本開示の実施形態に基づく延期されたＰＵＳＣＨ送信を示す略図６である。
【図２８】本開示の一実施形態に基づく、スロット９９〜スロット１２８の延期された送信を示す略図１である。
【図２９】本発明の実施形態に基づくプリアンブル基本ユニットの送信の構造を示す略図３である。
【図３０】本開示の一実施形態に基づくプリアンブル基本ユニットの６４回の繰り返し送信の構造を示す略図９である。
【図３１】本開示の一実施形態に基づくスロット構造を示す略図２である。
【図３２】本開示の一実施形態に基づくＰＵＳＣＨの送信の構造を示す略図２である。
【図３３】本開示の一実施形態に基づく、ＰＵＳＣＨ送信及びＰＡＲＣＨ送信によって占有されるリソースを示す略図２である。
【図３４】本開示の実施形態に基づく延期されたＰＵＳＣＨ送信を示す略図７である。
【図３５】本開示の一実施形態に基づく、スロット９９〜スロット１２８の延期された送信を示す略図２である。
【図３６】本発明の一実施形態に基づくプリアンブル基本ユニットの送信構造を示す略図４である。
【図３７】本開示の一実施形態に基づくプリアンブル基本ユニットの６４回の繰り返し送信の構造を示す略図１０である。
【図３８】本開示の一実施形態に基づくスロット構造を示す略図３である。
【図３９】本開示の一実施形態に基づくＰＵＳＣＨの送信の構造を示す略図３である。
【図４０】本開示の一実施形態に基づく、ＰＵＳＣＨ送信及びＰＡＲＣＨ送信によって占有されるリソースを示す略図３である。
【図４１】本開示の一実施形態に基づく、スロット９９とＰＲＡＣＨリソースとの間の重複を示す略図である。
【図４２】本開示の実施形態に基づく延期されたＰＵＳＣＨ送信を示す略図８である。
【図４３】本開示の一実施形態に基づくプリアンブル基本ユニットの送信の構造を示す略図５である。
【図４４】本開示の一実施形態に基づくプリアンブル基本ユニットの１６回の繰り返し送信の構造を示す略図１である。
【図４５】本発明の一実施形態に基づく、ＰＵＳＣＨで搬送されるデータの変調及び符号化方式がＱＰＳＫ１／２である場合のＰＵＳＣＨ送信のためのリソースの位置を示す略図である。
【図４６】本開示の一実施形態に基づくプリアンブル基本ユニットの送信の構造を示す略図６である。
【図４７】本開示の一実施形態に基づくプリアンブル基本ユニットの１６回の繰り返し送信の構造を示す略図２である。
【図４８】本開示の一実施形態に基づくプリアンブル基本ユニットの送信の構造を示す略図７である。
【図４９】本開示の一実施形態に基づくプリアンブル基本ユニットの６４回の繰り返し送信の構造を示す略図１１である。
【図５０】本開示の一実施形態に基づくスロット構造を示す略図４である。
【図５１】本開示の一実施形態に基づくＰＵＳＣＨの送信の構造を示す略図４である。
【図５２】本開示の一実施形態に基づく、ＰＵＳＣＨ送信及びＰＡＲＣＨ送信によって占有されるリソースを示す略図４である。
【図５３】本開示の実施形態に基づく延期されたＰＵＳＣＨ送信を示す略図９である。
【図５４】本開示の一実施形態に基づくプリアンブル基本ユニットの送信の構造を示す略図８である。
【図５５】本開示の一実施形態に基づくプリアンブル基本ユニットの６４回の繰り返し送信の構造を示す略図１２である。
【発明を実施するための形態】
【００３９】
以下では、実施形態と共に図を参照して本開示を詳細に説明する。実施形態及びその特徴は、矛盾が生じない限り、互いに組み合わせることができる。
なお、明細書、特許請求の範囲及び図面中の「第１」、「第２」等の用語は、類似の対象物を区別するために使用するものであり、必ずしも、特定の順序又は順番を意味するものではない。
【００４０】
［実施形態１］
本開示の実施形態１に基づいて提供される方法は、演算デバイス、コンピュータ端末、又は同様の演算デバイスにおいて実行できる。この方法が例えば演算デバイスで実行される場合に、本開示の一実施形態に基づくリソース設定の方法を適用可能な演算デバイスのハードウェア構造を示すブロック図を図１に示す。図１に示すように、演算デバイス１０は、１つ以上のプロセッサ１０２（１個のみを示しており、これは、以下に限定されるものではないが、マイクロプロセッサ、例えば、ＭＣＵ、プログラマブルロジックデバイス、例えば、ＦＰＧＡ等の処理デバイスを含む。）と、データを記憶するメモリ１０４と、通信機能を提供する送信デバイス１０６とを含む。なお、図１に示す構造は例示的なものであり、上述の電子機器の構造がこれに限定されるものではないことは当業者にとって明らかである。例えば、演算デバイス１０に含まれるコンポーネントは、図１に示されているコンポーネントより多くても少なくてもよく、また、図１に示す構成とは異なる構成を有していてもよい。
【００４１】
メモリ１０４は、ソフトウェアアプリケーションのソフトウェアプログラム及びモジュール、例えば、本開示の実施形態に基づくリソース設定のための方法に関連するプログラム命令／モジュールを格納することができる。プロセッサ１０２は、メモリ１０４に格納されたソフトウェアプログラム及びモジュールを実行することによって、様々な機能アプリケーション及びデータ処理動作、すなわち上記の方法を実行する。メモリ１０４は、ランダムキャッシュ又は不揮発性メモリ、例えば、磁気記憶装置、フラッシュメモリ又は他の不揮発性半導体メモリの１つ以上を含むことができる。幾つかの例では、メモリ１０４は、プロセッサ１０２から遠隔にあり、ネットワークを介して演算デバイス１０に接続できる１つ以上のメモリを更に含むことができる。そのようなネットワークの例には、以下に限定されるものではないが、インターネット、企業のイントラネット、ローカルエリアネットワーク（Local Area Network：ＬＡＮ）、移動通信ネットワーク、及びこれらの任意の組み合わせが含まれる。
【００４２】
送信デバイス１０６は、ネットワークを介してデータを送信又は受信できる。ネットワークは、例えば、演算デバイス１０の通信プロバイダによって提供される無線ネットワークであってもよい。一例では、送信デバイス１０６は、インターネットとの通信のために基地局を介して他のネットワークデバイスに接続できるネットワークアダプタ又はネットワークインタフェースコントローラ（Network Interface Controller：ＮＩＣ）を含む。一例では、送信デバイス１０６は、インターネットと無線で通信するための無線周波数（Radio Frequency：ＲＦ）モジュールであってもよい。
【００４３】
本実施形態では、リソース設定のための方法を提供する。図２は、本開示の一実施形態に基づくリソース設定の方法を示す第１のフローチャートである。図２に示すように、処理フローは以下のステップを含む。
ステップＳ２０２では、第１の端末に割り当てられた第１のタイプのチャネルのリソースと、第２の端末に割り当てられた第２のタイプのチャネルのリソースとが、指定された条件を満たすかを判定する。
【００４４】
指定された条件が満たされる場合、ステップＳ２０４において、第２のタイプのチャネルのリソース内の第１のリソースの時間領域位置を延期する。
以上のステップにより、第１のタイプのチャネルのリソース及び異なる端末の第２のタイプのチャネルのリソースが特定の条件を満たす場合、第２のタイプのチャネルのリソース内の第１のリソースの時間領域位置が延期され、これにより、異なる端末に対して設定されたリソースに対する同時処理の実行が回避される。このようにして、従来の異なる端末に対して設定されているチャネルのリソース間での衝突回避の問題を解決でき、チャネルのリソースの衝突を回避し、通信効率を向上させることができる。
【００４５】
なお、ステップＳ２０２は任意である。すなわち、このステップを毎回行う必要はなく、予め指定された条件が満たされていると判定し、単に、ステップＳ２０４のみを毎回実行するだけでもよい。
【００４６】
オプションとして、上記のステップは、以下に限定されるわけではないが、基地局、端末等によって実行してもよい。
オプションとして、本実施形態では、第１のタイプのチャネルは、ランダムアクセスチャネルを含むことができる。
更に、オプションとして、本実施形態では、第２のタイプのチャネルは、アップリンクデータチャネル、アップリンクトラフィックチャネル、アップリンク制御チャネル、ハイブリッド自動再送要求（ＨＡＲＱ）応答メッセージを搬送するチャネル、及びサウンディングチャネル（sounding channel）のうちの１つを含むことができる。
本開示の一実施形態では、第１のタイプのチャネルがランダムアクセスチャネルであり、ランダムアクセスチャネル上で送信されるランダムアクセス信号の繰り返し送信の数Ｒ１が第１の閾値Ｒ１ｓｅｔ以上であるとき、第１のタイプのチャネルの送信において、第１のタイプのチャネルの送信ギャップＧａｐ１が設定される。
【００４７】
本開示の一実施形態では、Ｒ１ｓｅｔの値は、以下の手法のうちの少なくとも１つによって決定できる。
−方式１
Ｒ１ｓｅｔとしてデフォルト設定を使用する。
−方式２
Ｒ１ｓｅｔとしてデフォルト設定を使用し、Ｒ１ｓｅｔの値は、Ｒ１の値の集合から選択される。
−方式３
Ｒ１ｓｅｔの値をシグナリングによって設定する。
−方式４
Ｒ１ｓｅｔの値をシグナリングによって設定し、Ｒ１ｓｅｔの値は、Ｒ１の値の集合から選択される。
−方式５
Ｒ１ｓｅｔは、Ｔ＿Ｕｎｉｔ１＊Ｒ１ｓｅｔが第２の閾値Ｔ１ｓｅｔ以下であるという条件を満たす最大の整数として設定される。
すなわち、Ｔ＿Ｕｎｉｔ１は、ランダムアクセス信号の１回の送信に対応する時間長であり、Ｔ１ｓｅｔにはデフォルト設定が使用され、又はＴ１ｓｅｔは、シグナリングを介して設定された値を有する。
−方式６
Ｒ１ｓｅｔの値は、Ｒ１の値の集合から選択され、Ｒ１ｓｅｔは、Ｔ＿Ｕｎｉｔ１＊Ｒ１ｓｅｔがＴ１ｓｅｔ以下であるという条件を満たすＲ１の値の集合内の最大整数として設定される。
【００４８】
すなわち、Ｔ＿Ｕｎｉｔ１は、ランダムアクセス信号の１回の送信に対応する時間長であり、Ｔ１ｓｅｔにはデフォルト設定が使用され、又はＴ１ｓｅｔは、シグナリングを介して設定された値を有する。
【００４９】
本開示の一実施形態では、指定された条件は、以下の条件の少なくとも１つを含む。
１．第１のタイプのチャネルのリソース及び第２のタイプのチャネルのリソースが重複する領域を有する。
具体的には、第１のタイプのチャネルのリソース及び第２のタイプのチャネルのリソースが２つの次元、すなわち、時間領域及び周波数領域を含む。重複領域は、第１のタイプのチャネルのリソースの全部又は一部、及び／又は第２のタイプのチャネルのリソースの全部又は一部を含む。
２．第１のタイプのチャネルのリソースが位置する時間領域位置及び第２のタイプのチャネルのリソースが位置する時間領域位置が重複又は部分的に重複し、第１のタイプのチャネルのリソースが位置する周波数領域位置が第２のタイプのチャネルのリソースが位置する周波数領域位置に含まれる。
３．第１のタイプのチャネルのリソースが位置する時間領域位置及び第２のタイプのチャネルのリソースが位置する時間領域位置が重複又は部分的に重複し、第１のタイプのチャネルのリソースが位置する周波数領域位置と、第２のタイプのチャネルのリソースが位置する周波数領域位置との間のギャップがＡＨｚ以下である。Ａは、０より大きい。
４．第２のタイプのチャネルの周波数領域帯域幅に対する第１のタイプのチャネルのリソースと第２のタイプのチャネルのリソースとの重複部分の比率がｃ％以上である。ｃ％の値は、デフォルト値又はシグナリングによって設定された値である。
５．第２のタイプのチャネルのリソースの時間領域長に対する第１のタイプのチャネルのリソースと第２のタイプのチャネルのリソースとの時間領域重複領域長の比がｄ％である。時間領域重複領域の長さは、Ｗ１個の第１のメトリックユニットに等しく、又は時間領域重複領域の長さは、Ｗ２個の第２のタイプのチャネルの１回の送信によって占有されるリソースの時間領域長に等しい。Ｗ１、Ｗ２は、それぞれ０より大きい整数であり、ｄは、０より大きい整数である。
【００５０】
本開示の一実施形態では、第２のタイプのチャネルは、１回以上の繰り返し送信をサポートできる。
本開示の一実施形態では、Ａは、第１のタイプのチャネルの副搬送波間隔Ｓ１と係数ｍとの積であり、ｍは、０より大きい。
オプションとして、Ａが第１のタイプのチャネルの副搬送波間隔Ｓ１と係数ｍとの積である場合、ｍの値は、デフォルトで１又は２に設定してもよく、ｍの値は、シグナリングを介して設定され、｛０，１，２，３｝、｛０，１，２，４｝、又は｛１，２，３，４｝から選択してもよい。この場合、オプションとして、Ｓ１＝３．７５ｋＨｚである。
本開示の一実施形態では、Ａは、第２のタイプのチャネルの副搬送波間隔Ｓ２と係数ｎとの積であり、ｎは、０より大きい。
【００５１】
オプションとして、Ａが第２のタイプのチャネルの副搬送波間隔Ｓ２と係数ｎとの積である場合、ｎの値は、デフォルトで１又は２に設定してもよく、ｎの値は、シグナリングを介して設定され、｛０，１，２，３｝、｛０，１，２，４｝、又は｛１，２，３，４｝から選択してもよい。この場合、オプションとして、Ｓ２＝３．７５ｋＨｚである。
オプションとして、Ａが第２のタイプのチャネルの副搬送波間隔Ｓ２と係数ｎとの積である場合、ｎは、デフォルトで１又は２に設定してもよく、ｎの値は、シグナリングを介して設定され、｛０，１｝又は｛１，２｝から選択してもよい。この場合、オプションとして、Ｓ２＝１５ｋＨｚである。
【００５２】
本開示の一実施形態では、以下のような方式によって第２のタイプのチャネルのリソース内の第１のリソースの時間領域の位置を延期する。第２のタイプのチャネルのリソース内の第１のリソースの延期された時間領域位置の開始時刻をＳｔａｒｔ２とし、Ｓｔａｒｔ２＝ｍ＋ｋとし、ここで、ｍは、第１のタイプのチャネルの送信の終了時刻Ｅｎｄ１の第１のメトリックユニット、又は第１のメトリックユニットのインデックスであり、ｋは整数である。
【００５３】
本実施形態では、Ｅｎｄ１は小数であってもよく、すなわち、第１のメトリックユニットは、整数ではなくてもよい。第１のメトリックユニットは、秒（ｓ）、ミリ秒（ｍｓ）、サブフレーム、フレーム、スロット、又は他の時間ユニットであってもよい。
第２のタイプのチャネルの副搬送波間隔が１５ｋＨｚであるとき、スロットは、１ｍｓの長さを有する。第２のタイプのチャネルの副搬送波間隔が１５ｋＨｚであるとき、スロットは、２ｍｓの長さを有する。
【００５４】
本開示の一実施形態では、第１のタイプのチャネルがランダムアクセスチャネルである場合、第１のタイプのチャネルの送信の終了時刻Ｅｎｄ１は、以下のうちの少なくとも１つであってもよい。
１．ランダムアクセスチャネル上のランダムアクセス信号の送信が終了する時刻
２．ガードタイム（Guard Time：ＧＴ）が終了する時刻
３．ランダムアクセスチャネルの送信において複数のＧＴが設定されている場合、複数のＧＴのうち最後のＧＴが終了する時刻
４．ランダムアクセスチャネルの送信において送信ギャップが設定されている場合、送信ギャップが終了する時刻
５．ランダムアクセスチャネルの送信において送信ギャップが設定されている場合、ランダムアクセスチャネル上のランダムアクセス信号の送信が終了する時刻
６．ランダムアクセスチャネルの送信において送信ギャップが設定されている場合、ＧＴが終了する時刻
７．ランダムアクセスチャネルの送信において送信ギャップが設定されている場合、最後のＧＴが終了する時刻
８．ランダムアクセスチャネルの送信において複数の送信ギャップが設定されている場合、複数の送信ギャップのうちの最後の送信ギャップが終了する時刻
９．ランダムアクセスチャネルの送信において複数の送信ギャップが設定されている場合、ランダムアクセスチャネル上のランダムアクセス信号の送信が終了する時刻
１０．ランダムアクセスチャネルの送信において複数の送信ギャップが設定されている場合、ＧＴが終了する時刻
１１．ランダムアクセスチャネルの送信において複数の送信ギャップが設定されている場合、最後のＧＴが終了する時刻
【００５５】
同様に、本実施形態では、Ｅｎｄ１は小数であってもよく、すなわち、整数の第１のメトリックユニットでなくてもよい。
本開示の一実施形態では、第１のタイプのチャネルの送信の終了時刻Ｅｎｄ１は、第１のタイプのチャネルの送信の開始時刻Ｓｔａｒｔ１及び第１のタイプのチャネルの送信の時間長Ｔ＿Ｌｅｎｇｔｈ１に基づいて判定される。
オプションとして、本実施形態では、Ｅｎｄ１＝Ｓｔａｒｔ１＋Ｔ＿Ｌｅｎｇｔｈ１である。
【００５６】
本開示の一実施形態では、第１のタイプのチャネルの送信の時間長Ｔ＿Ｌｅｎｇｔｈ１は、第１のタイプのチャネルの送信のための基本ユニット(preamble)の時間長Ｔ＿Ｕｎｉｔ１、第１のタイプのチャネルの送信のための基本ユニットの繰り返し送信の数Ｒ１、及び第１のタイプのチャネルの送信のためのガードタイムＧＴ１のうちの少なくとも１つに基づいて判定される。
【００５７】
本開示の一実施形態では、第１のタイプのチャネルの送信の時間長Ｔ＿Ｌｅｎｇｔｈ１は、Ｔ＿Ｌｅｎｇｔｈ１＝Ｔ＿Ｕｎｉｔ１＊Ｒ１及びＴ＿Ｌｅｎｇｔｈ１＝Ｔ＿Ｕｎｉｔ１＊Ｒ１＋ＧＴのうちの少なくとも１つに基づいて判定される。
すなわち、第１のタイプのチャネルの送信の時間長Ｔ＿Ｌｅｎｇｔｈ１は、Ｔ＿Ｌｅｎｇｔｈ１＝Ｔ＿Ｕｎｉｔ１＊Ｒ１又はＴ＿Ｌｅｎｇｔｈ１＝Ｔ＿Ｕｎｉｔ１＊Ｒ１＋ＧＴに基づいて判定できる。
【００５８】
本開示の一実施形態では、第１のタイプのチャネルの送信の時間長Ｔ＿Ｌｅｎｇｔｈ１は、第１のタイプのチャネルの送信のための基本ユニットの時間長Ｔ＿Ｕｎｉｔ１、第１のタイプのチャネルの送信のための基本ユニットの繰り返し送信の数Ｒ１、及び第１のタイプのチャネルの送信のためのガードタイムＧＴ１のうちの少なくとも１つに基づいて判定される。
【００５９】
本開示の一実施形態では、Ｔ＿Ｌｅｎｇｔｈ１は、以下の手法の少なくとも１つに基づいて判定される。
１）Ｒ１がＲ１ｓｅｔ以下又はＴ＿Ｕｎｉｔ１＊Ｒ１がＴ１ｓｅｔ以下の場合、Ｔ＿Ｌｅｎｇｔｈ１＝Ｔ＿Ｕｎｉｔ１＊Ｒ１であり、そうでなければＴ＿Ｌｅｎｇｔｈ１＝Ｔ＿Ｕｎｉｔ１＊Ｒ１＋ＧＴである。
Ｒ１は、シグナリングを介して基地局によって設定された値を有する。
Ｒ１ｓｅｔの値は、以下の手法のうちの少なくとも１つによって決定できる。すなわち、Ｒ１ｓｅｔのデフォルト設定を使用してもよく、Ｒ１ｓｅｔのデフォルト設定を使用し、Ｒ１の値の集合からＲ１ｓｅｔの値を選択してもよく、シグナリングを介してＲ１ｓｅｔの値を設定してもよく、シグナリングを介してＲ１ｓｅｔの値を設定し、Ｒ１の値の集合からＲ１ｓｅｔの値を選択してもよく、Ｔ＿Ｕｎｉｔ１＊Ｒ１ｓｅｔがＴ１ｓｅｔ以下であるという条件を満たす最大整数としてＲ１ｓｅｔを設定してもよく、Ｒ１の値の集合からＲ１ｓｅｔの値を選択し、Ｔ＿Ｕｎｉｔ１＊Ｒ１ｓｅｔがＴ１ｓｅｔ以下であるという条件を満たすＲ１の値の集合内の最大値をＲ１ｓｅｔとして設定してもよい。
Ｔ１ｓｅｔにはデフォルト設定が使用され、又はＴ１ｓｅｔは、シグナリングを介して設定された値を有する。
【００６０】
２）Ｒ１がＲ１ｓｅｔ以上又はＴ＿Ｕｎｉｔ１＊Ｒ１がＴ１ｓｅｔ以上の場合、Ｔ＿ｌｅｎｇｔｈ１は以下のようになる。
【数５】
2020115689.tif 000007
ここで、Ｎｕｍ＝Ｒ１／Ｒ１ｓｅｔ、Ｒ１＿ｓｕｂｓｅｔｊ＝Ｒ１ｓｅｔ、ｊ＝１〜Ｎｕｍ、及びＧａｐ１ｊ＝Ｇａｐ１である。
【００６１】
Ｒ１は、シグナリングを介して基地局によって設定された値を有する。
Ｒ１ｓｅｔの値は、以下の手法のうちの少なくとも１つによって決定できる。すなわち、Ｒ１ｓｅｔのデフォルト設定を使用してもよく、Ｒ１ｓｅｔのデフォルト設定を使用し、Ｒ１の値の集合からＲ１ｓｅｔの値を選択してもよく、シグナリングを介してＲ１ｓｅｔの値を設定してもよく、シグナリングを介してＲ１ｓｅｔの値を設定し、Ｒ１の値の集合からＲ１ｓｅｔの値を選択してもよく、Ｔ＿Ｕｎｉｔ１＊Ｒ１ｓｅｔがＴ１ｓｅｔ以下であるという条件を満たす最大整数としてＲ１ｓｅｔを設定してもよく、Ｒ１の値の集合からＲ１ｓｅｔの値を選択し、Ｔ＿Ｕｎｉｔ１＊Ｒ１ｓｅｔがＴ１ｓｅｔ以下であるという条件を満たすＲ１の値の集合内の最大値をＲ１ｓｅｔとして設定してもよい。
Ｔ１ｓｅｔにはデフォルト設定が使用され、又はＴ１ｓｅｔは、シグナリングを介して設定された値を有する。
【００６２】
オプションとして、本開示の一実施形態では、Ｇａｐ１ｊ＝０及びｊ＝Ｎｕｍである。  ３）Ｒ１がＲ１ｓｅｔ以上であるか、又はＴ＿Ｕｎｉｔ１＊Ｒ１がＴ１ｓｅｔ以上である場合、Ｔ＿ｌｅｎｇｔｈ１は以下のようになる。
【数６】
2020115689.tif 000008
ここで、Ｎｕｍ＝Ｒ１／Ｒ１ｓｅｔ、Ｒ１＿ｓｕｂｓｅｔｊ＝Ｒ１ｓｅｔ、及びｊ＝１〜Ｎｕｍである。
Ｒ１は、シグナリングを介して基地局によって設定された値を有する。
【００６３】
Ｒ１ｓｅｔの値は、以下の手法のうちの少なくとも１つによって決定できる。Ｒ１ｓｅｔのデフォルト設定を使用する。Ｒ１ｓｅｔのデフォルト設定を使用し、Ｒ１の値の集合からＲ１ｓｅｔの値を選択する。シグナリングを介してＲ１ｓｅｔの値を設定する。シグナリングを介してＲ１ｓｅｔの値を設定し、Ｒ１の値の集合からＲ１ｓｅｔの値を選択する。Ｔ＿Ｕｎｉｔ１＊Ｒ１ｓｅｔがＴ１ｓｅｔ以下であるという条件を満たす最大整数としてＲ１ｓｅｔを設定する。Ｒ１の値の集合からＲ１ｓｅｔの値を選択し、Ｔ＿Ｕｎｉｔ１＊Ｒ１ｓｅｔがＴ１ｓｅｔ以下であるという条件を満たすＲ１の値の集合内の最大値をＲ１ｓｅｔとして設定する。
【００６４】
Ｔ１ｓｅｔにはデフォルト設定が使用され、又はＴ１ｓｅｔは、シグナリングを介して設定された値を有する。
オプションとして、本開示の実施形態では、Ｇａｐ１ｊ＝ＧＴ１及びｊ＝Ｎｕｍ、又はＧａｐ１ｊ＝Ｇａｐ１、ｊ＝１〜Ｎｕｍである。
【００６５】
４）Ｒ１がＲ１ｓｅｔ以上であるか、又はＴ＿Ｕｎｉｔ１＊Ｒ１がＴ１ｓｅｔ以上である場合、Ｔ＿ｌｅｎｇｔｈ１は以下のようになる。
【数７】
2020115689.tif 000009
ここで、
【数８】
2020115689.tif 000010
Ｒ１＿ｓｕｂｓｅｔｊ＝Ｒ１ｓｅｔ、ｊ＝１〜Ｎｕｍ−１、及びＲ１−Ｒ１ｓｅｔ＊（Ｎｕｍ−１）、ｊ＝Ｎｕｍである。
【００６６】
Ｒ１は、シグナリングを介して基地局によって設定された値を有する。
Ｒ１ｓｅｔの値は、以下の手法のうちの少なくとも１つによって決定できる。Ｒ１ｓｅｔのデフォルト設定を使用する。Ｒ１ｓｅｔのデフォルト設定を使用し、Ｒ１の値の集合からＲ１ｓｅｔの値を選択する。シグナリングを介してＲ１ｓｅｔの値を設定する。シグナリングを介してＲ１ｓｅｔの値を設定し、Ｒ１の値の集合からＲ１ｓｅｔの値を選択する。Ｔ＿Ｕｎｉｔ１＊Ｒ１ｓｅｔがＴ１ｓｅｔ以下であるという条件を満たす最大整数としてＲ１ｓｅｔを設定する。Ｒ１の値の集合からＲ１ｓｅｔの値を選択し、Ｔ＿Ｕｎｉｔ１＊Ｒ１ｓｅｔがＴ１ｓｅｔ以下であるという条件を満たすＲ１の値の集合内の最大値をＲ１ｓｅｔとして設定する。
Ｔ１ｓｅｔにはデフォルト設定が使用され、又はＴ１ｓｅｔは、シグナリングを介して設定された値を有する。
オプションとして、本開示の一実施形態では、Ｒ１がＲ１ｓｅｔによって割り切れない場合、Ｇａｐ１ｊ＝Ｇａｐ１、ｊ＝１〜Ｎｕｍ−１、又はＧａｐ１ｊ＝０、ｊ＝Ｎｕｍである。
【００６７】
本開示の実施形態では、Ｒ１＿ｓｕｂｓｅｔｊがＲ１ｓｅｔより小さい場合、Ｇａｐ１ｊ＝０、ｊ＝Ｎｕｍである。
本開示の一実施形態では、Ｒ１＿ｓｕｂｓｅｔｊがｅ×Ｒ１ｓｅｔ以下であるとき、Ｇａｐ１ｊ＝０、ｊ＝Ｎｕｍであり、ここで、ｅは、定数である。
本開示の一実施形態では、０＜ｅ＜１又は、０≦ｅ≦１である。
例えば、ｅは、｛０／８，１／８，２／８，３／８，４／８，５／８，６／８，７／８，１｝から選択できる。
【００６８】
本開示の一実施形態では、第２のタイプのチャネルのリソース内の第１のリソースの時間領域位置が延期される。この場合、第１のリソースは、インデックスがｊであるリソースユニットＲＵ（ｊ）からインデックスがＮ−１であるリソースユニットＲＵ（Ｎ−１）までのＮ−ｊ個のリソースユニットを含み、ここで、第２のタイプのチャネルのリソースは、それぞれ０〜Ｎ−１のインデックスを有するＮ個のＲＵからなる。
【００６９】
本開示の一実施形態では、ＲＵ（ｊ）は、指定された条件を満たすＲＵのうち、最初のＲＵ又は最小のインデックスを有するＲＵである。
本開示の一実施形態では、ＲＵは、Ｐ個の第１のメトリックユニットである時間領域長を有し、又は第２のタイプのチャネルの１回の送信によって占有されるリソースの時間領域長を有し、ここで、Ｐは、正の整数である。
なお、第２のタイプのチャネルは、１回以上の繰り返し送信をサポートできる。
本開示の実施形態では、Ｐは、１ｍｓ、２ｍｓ、４ｍｓ、８ｍｓ、１６ｍｓ、及び３２ｍｓのうちの１つの値を有する。
【００７０】
本開示の一実施形態では、第２のタイプのチャネルに割り当てられた周波数領域の副搬送波間隔が３．７５ｋＨｚである場合、Ｐ＝３２ｍｓであり、第２のタイプのチャネルに割り当てられた周波数領域の副搬送波間隔が１５ｋＨｚである場合、Ｐ＝８ｍｓであり、第２のタイプのチャネルに割り当てられた周波数領域の副搬送波間隔が３．７５ｋＨｚであり、第２のタイプのチャネルが１個の信号搬送波で送信される場合、Ｐ＝３２ｍｓであり、第２のタイプのチャネルに割り当てられた周波数領域の副搬送波間隔が１５ｋＨｚであり、第２のタイプのチャネルが１個の信号搬送波で送信される場合、Ｐ＝８ｍｓであり、第２のタイプのチャネルに割り当てられた周波数領域の副搬送波間隔が１５ｋＨｚであり、第２のタイプのチャネルが複数の搬送波に亘って送信される場合、Ｐ＝１ｍｓ、２ｍｓ、又は４ｍｓであり、第２のタイプのチャネルに割り当てられた周波数領域の副搬送波間隔が３．７５ｋＨｚであり、第２のタイプのチャネルが１個の信号搬送波で送信される場合、Ｐ＝８ｍｓであり、第２のタイプのチャネルに割り当てられた周波数領域の副搬送波間隔が１５ｋＨｚであり、第２のタイプのチャネルが１個の信号搬送波で送信される場合、Ｐ＝２ｍｓである。
【００７１】
本開示の一実施形態では、ＲＵは、Ｑ個の副搬送波又はサブチャネルの周波数領域長を有する。ＲＵの周波数領域長は、副搬送波又はサブチャネルと係数Ｑとの積である。
本開示の一実施形態では、Ｑは、１、３、６、９、及び１２のうちの少なくとも１つの値を有する。
本開示の一実施形態では、Ｑは、第２のタイプのチャネルに対して割り当てられた副搬送波又はサブチャネルの数に等しい値を有する。
【００７２】
本開示の一実施形態では、第２のタイプのチャネルの送信のために第２のタイプのチャネルの送信ギャップを設定する場合、第２のタイプのチャネルのリソースを構成するＮ個のＲＵは、第２のタイプのチャネルの送信ギャップによって占有されるＲＵを含む。
本開示の一実施形態では、ＲＵ（ｊ）は、指定された条件を満たし、第２のタイプのチャネルの送信ギャップによって占有されるＲＵではない最初のＲＵと、指定された条件を満たし、第２のタイプのチャネルの送信ギャップによって占有されるＲＵではない、最小のインデックスを有するＲＵとからなる。
【００７３】
本開示の一実施形態では、第１のタイプのチャネルの送信のために第１のタイプのチャネルの送信ギャップを設定する場合、ＲＵ（ｊ）は、指定された条件を満たすＲＵのうち、最初のＲＵ又は最小のインデックスを有するＲＵであり、第１のタイプのチャネルのリソースは、第１のタイプのチャネルの送信ギャップによって占有されるリソースを含まない。
本開示の一実施形態では、ＲＵ（ｊ）が存在しない場合、第２のタイプのチャネルの送信を延期する必要はない。
【００７４】
本開示の一実施形態では、第２のタイプのチャネルのリソース内の第１のリソースの時間領域の位置は、以下の手法によって延期される。第１のタイプのチャネルにおいて送信ギャップＧａｐ１が設定されている場合、第２のタイプのチャネルのリソース内の第１のリソースの延期された時間領域位置の開始時刻をＳｔａｒｔ２とし、Ｓｔａｒｔ２＝ｍ＋ｋとし、ここで、ｍは、第１の送信ギャップＧａｐ１の開始時刻が位置する第１のメトリックユニットであり、Ｇａｐ１は、第２のタイプのチャネルのリソースの終了時刻Ｅｎｄ２の後の送信ギャップであり、又はｍは、第１のメトリックユニットのインデックスであり、ｋは、０以上であり、又は第２のタイプのチャネルのリソース内の第１のリソースの延期された時間領域位置の開始時刻をＳｔａｒｔ２と設定し、第１のタイプのチャネルにおいて送信ギャップＧａｐ１に応じてＳｔａｒｔ２＝ｍ＋ｋとし、ここで、ｍは、第１の送信ギャップＧａｐ１の開始時刻が位置する第１のメトリックユニットであり、Ｇａｐ１は、リソースユニットＲＵ（ｊ）の終了時刻の後の送信ギャップであり、又はｍは、第１のメトリックユニットのインデックスであり、ｋは、０以上である。
【００７５】
なお、第２のタイプのチャネルのリソースは、延期動作が行われないリソースである。  本開示の一実施形態では、第１のタイプのチャネルのリソースと第２のタイプのチャネルのリソースとが部分的に重複する場合、第２のタイプのチャネルで搬送されるデータ、トラフィック、情報、及び信号のうちの１つは、第１のタイプのチャネルのリソースと重複しない第２のタイプのチャネルのリソースを介して送信される。
【００７６】
本開示の一実施形態では、第２のタイプのチャネルが占有する周波数領域帯域幅と第１のタイプのチャネルの周波数領域リソースとの重複部分と、第２のタイプのチャネルに設定された周波数領域帯域幅との比がｃ１％以下である場合、第２のタイプのチャネルで搬送されるデータ、トラフィック、情報、及び信号のうちの１つは、第１のタイプのチャネルのリソースと重複しない第２のタイプのチャネルのリソースを介して送信され、ここで、ｃ１は、０以上である。
【００７７】
本開示の一実施形態では、指定された条件が満たされ、第１のタイプのチャネルのリソースと第２のタイプのチャネルのリソースとの間の時間領域重複領域の長さと第２のタイプのリソースの時間領域長との比のチャネルがｄ％以下の場合、第２のタイプのチャネルの送信は、延期されず、ここで、ｄは、０以上である。
【００７８】
本開示の実施形態では、時間領域重複領域の長さは、Ｗ１個の第１のメトリックユニットに等しく、又は時間領域重複領域の長さは、Ｗ２個の第２のタイプのチャネルの１回の送信によって占有されるリソースの時間領域長に等しい。
なお、第２のタイプのチャネルは、１回以上の繰り返し送信をサポートできる。
本開示の一実施形態では、指定された条件が満たされ、第２の端末のレベルインデックスが所定のレベルインデックス以上である場合、第２のタイプのチャネルの送信は、延期されず、所定のレベルインデックスは、デフォルトとして又はシグナリングを介して設定される。
【００７９】
第２の端末は、１つ以上の集合に割り当てることができる。異なる集合に属する第２の端末は、異なる数の繰り返し送信を送信することができる。あるいは、第２の端末は、１つ以上の集合に属することができ、異なる集合に属している場合、第２のタイプのチャネルのための異なる繰り返し回数に対応する異なる目標カバレッジ向上値（又は目標カバレッジ向上インターバル）を有することができる。
【００８０】
本開示の一実施形態では、指定された条件が満たされ、第２のタイプのチャネルの繰り返し送信の回数が所定の値以上である場合、第２のタイプのチャネルの送信は、延期されず、所定の値は、デフォルトとして又はシグナリングを介して設定される。
【００８１】
本開示の実施形態では、第２のタイプのチャネルは、ハイブリッド自動再送要求（Hybrid Automatic Repeat reQuest：ＨＡＲＱ）応答メッセージを搬送するチャネルである。  本開示の一実施形態では、第１のタイプのチャネルがランダムアクセスチャネルである場合、第１の端末は、１つ以上の端末を含む。
【００８２】
本開示の実施形態において、第１の端末が複数の端末を含む場合、複数の端末は、以下のうちの１つを満たす。複数の端末が同じカバレッジ向上レベルを有する。複数の端末がランダムアクセス信号の同じレベルの繰り返し送信を有する。複数の端末がランダムアクセス信号の同じ回数の繰り返し送信を有する。
【００８３】
以上の実施形態の説明により、上記の実施形態に基づく方法は、ソフトウェア及び必要な汎用ハードウェアプラットフォームを用いて実現してもよく、もちろん、ハードウェアによって実現してもよく、多くの場合、前者がより優れた実装形態であることは、当業者にとって明らかである。この理解に基づいて、本開示の技術的ソリューションは、本質的に又は先行技術に寄与する部分に関して、ソフトウェア製品の形態で実現でき、ソフトウェア製品は、ストレージ媒体（例えば、ＲＯＭ／ＲＡＭ、ディスク、ＣＤ−ＲＯＭ）に格納され、端末デバイス（携帯電話、コンピュータ、サーバ、又はネットワークデバイス等であってもよい。）によって実行され、本開示の様々な実施形態に記載された方法を実現する複数の命令を含む。
【００８４】
［実施形態２］
本開示の一実施形態は、リソース設定のための装置も提供する。この装置は、上記の実施形態を実装するものであり、その実施形態及びその詳細はここでは省略する。本明細書で使用する「モジュール」という用語は、所定の機能を実行できるソフトウェア、ハードウェア、又はこれらの組み合わせであってもよい。以下の実施形態に記載の装置は、好ましくはソフトウェアによって実現されるが、ハードウェア又はソフトウェアとハードウェアとの組み合わせで実現してもよい。
【００８５】
図３は、本開示の一実施形態に基づくリソース設定のための装置の構成を示すブロック図である。図３に示すように、この装置は、第１の端末に割り当てられた第１のタイプのチャネルのリソースと、第２の端末に割り当てられた第２のタイプのチャネルのリソースとが特定の条件を満たすか否かを判定するように構成された判定モジュール３１と、判定モジュール３１に接続され、指定された条件に従って、第２のタイプのチャネルのリソース内の第１のリソースの時間領域位置を延期する延期モジュール３３とを含む。
【００８６】
上記のモジュールにより、第１のタイプのチャネルのリソースと、異なる端末の第２のタイプのチャネルのリソースとが指定された条件を満たす場合、第２のタイプのチャネルのリソース内の第１のリソースの時間領域位置が延期される。これにより、異なる端末に割り当てられたリソースに対する同時処理を回避できる。このように、従来の異なる端末に割り当てられたチャネルのリソース間の衝突の問題を回避し、チャネルのリソースの衝突を回避し、通信効率を向上させることができる。
【００８７】
なお、判定モジュール３１は、オプションである。すなわち、毎回このモジュールを呼び出す必要はない。これに代えて、指定された条件が満たされていると判定した後は、毎回、単に延期モジュール３３を呼び出すのみでもよい。
オプションとして、本実施形態では、第１のタイプのチャネルは、ランダムアクセスチャネルを含む。
【００８８】
オプションとして、第２のタイプのチャネルは、アップリンクデータチャネル、アップリンクトラフィックチャネル、アップリンク制御チャネル、ハイブリッド自動再送要求（ＨＡＲＱ）応答メッセージ及びサウンディングチャネルを搬送するチャネルを含む。
本開示の一実施形態では、指定された条件は、以下の条件の少なくとも１つを含む。第１のタイプのチャネルのリソース及び第２のタイプのチャネルのリソースが重複する領域を有する。第１のタイプのチャネルのリソースが位置する時間領域位置及び第２のタイプのチャネルのリソースが位置する時間領域位置が重複又は部分的に重複する。第１のタイプのチャネルのリソースが位置する周波数領域位置が第２のタイプのチャネルのリソースが位置する周波数領域位置に含まれる。第１のタイプのチャネルのリソースが位置する時間領域位置及び第２のタイプのチャネルのリソースが位置する時間領域位置が重複又は部分的に重複し、第１のタイプのチャネルのリソースが位置する周波数領域位置と、第２のタイプのチャネルのリソースが位置する周波数領域位置との間のギャップがＡＨｚ以下であり、Ａは、０より大きい。第２のタイプのチャネルの周波数領域帯域幅に対する第１のタイプのチャネルのリソースと第２のタイプのチャネルのリソースとの重複部分の比率がｃ％以上であり、ｃ％の値は、デフォルト値又はシグナリングによって設定された値である。第２のタイプのチャネルのリソースの時間領域長に対する第１のタイプのチャネルのリソースと第２のタイプのチャネルのリソースとの時間領域重複領域の長さの比がｄ％であり、時間領域重複領域の長さは、Ｗ１個の第１のメトリックユニットに等しく、又は時間領域重複領域の長さがＷ２個の第２のタイプのチャネルの１回の送信によって占有されるリソースの時間領域長に等しく、Ｗ１、Ｗ２は、それぞれ０より大きい整数であり、ｄは、０より大きい整数である。
【００８９】
［実施形態３］
本実施形態は、基地局を提供する。基地局は、上記の実施形態で提供されたリソース設定のための装置のいずれかを含む。
【００９０】
［実施形態４］
ＮＢ−ＩｏＴシステムでは、アップリンクのシステム帯域幅は、１８０ｋＨｚである。図４に示すように、本実施形態では、基地局によって設定されたランダムアクセスチャネル（ＰＲＡＣＨ）によって占有されるアップリンク帯域幅は、４５ｋＨｚであり、ＰＲＡＣＨ副搬送波間隔Δｆは、３．７５ｋＨｚであり、合計１２個のＰＲＡＣＨ副搬送波、すなわち、副搬送波０〜副搬送波１１が設定される。
【００９１】
ランダムアクセス信号（プリアンブル(preamble)）を構成する基本ユニット（elementary unit）として、Ｇｒｏｕｐ１〜Ｇｒｏｕｐ４を定義する。Ｇｒｏｕｐ１〜Ｇｒｏｕｐ４は、異なる副搬送波を介して送信される。各Ｇｒｏｕｐは、１個の循環プレフィックス（cyclic prefix：ＣＰ）及び５個のプリアンブルシンボルを含み、１個のプリアンブルシンボルは、時間領域シンボル長Ｔｋ＝１／Δｆ＝０．２６６７ｍｓを有する。
【００９２】
ＣＰの長さが０．２６６７ｍｓの場合、各Ｇｒｏｕｐの長さは、０．２６６７＋０．２６６７＊５＝１．６ｍｓであり、ユニットの長さは、１．６＊４＝６．４ｍｓである。
ＣＰの長さが０．０６６７ｍｓの場合、各Ｇｒｏｕｐの長さは、０．０６６７＋０．２６６７＊５＝１．４ｍｓであり、ユニットの長さは、１．４＊４＝５．６ｍｓである。
本実施形態では、ＣＰの長さは、０．２６６７ｍｓであり、ユニットの長さは、６．４ｍｓである。
【００９３】
Ｇｒｏｕｐ２、Ｇｒｏｕｐ３、及びＧｒｏｕｐ４に対応する副搬送波のインデックスは、Ｇｒｏｕｐ１に対応する副搬送波のインデックスに基づいて決定できる。図４に示すように、端末がＧｒｏｕｐ１を送信するために副搬送波０を選択する場合、Ｇｒｏｕｐ２は、副搬送波１を介して送信され、Ｇｒｏｕｐ３は、副搬送波７を介して送信され、Ｇｒｏｕｐ４は、副搬送波６を介して送信される。
ランダムアクセス信号のためのプリアンブルの基本ユニットの時間長Ｔ＿Ｕｎｉｔ１は、６．４ｍｓである。
【００９４】
本実施形態では、ＰＲＡＣＨで送信されるランダムアクセス信号のプリアンブルは、１２８０ｍｓの送信期間を有することができ、プリアンブルを送信する開始位置オフセットは、１２８ｍｓである。
プリアンブルを送信する基本ユニットの繰り返し送信の数Ｒ１は、｛１，２，４，８，１６，３２，６４，１２８｝から選択される。本実施形態では、Ｒ１＝６４である。
プリアンブルを送信するためのガードタイムＧＴ１は、１．２ｍｓであり、すなわち、ＧＴ１＝１．２ｍｓである。
【００９５】
本実施形態では、プリアンブルを送信する基本ユニットの６４回の繰り返し送信は、合計４０９．６ｍｓの長さを有する。
プリアンブルを送信する基本ユニットの繰り返し送信回数がＲ１ｓｅｔより大きい場合、プリアンブルの基本ユニットのＲ１ｓｅｔ回の送信が完了した後、プリアンブルに送信ギャップＧａｐ１を導入する必要がある。Ｇａｐ１の間、プリアンブルは送信されない。本実施形態では、Ｒ１ｓｅｔ＝３２、Ｇａｐ１＝２０ｍｓとし、図５は、プリアンブルの基本ユニットの６４回の繰り返し送信の構造を示している。プリアンブルの基本ユニットの６４回の繰り返し送信の時間長Ｔ＿Ｌｅｎｇｔｈ１は、以下の式によって算出できる。
【数９】
2020115689.tif 000011
【００９６】
ここで、Ｎｕｍ＝Ｒ１／Ｒ１ｓｅｔ＝６４／３２＝２であり、
Ｒ１＿ｓｕｂｓｅｔｊ＝Ｒ１ｓｅｔ、ｊ＝１〜Ｎｕｍ、及び
Ｇａｐ１ｊ＝Ｇａｐ１、ｊ＝１〜Ｎｕｍである。
本実施形態に加えて、図６は、プリアンブルの基本ユニットの６４回の繰り返し送信の構造を示している。プリアンブルの基本ユニットの６４回の繰り返し送信の時間長Ｔ＿Ｌｅｎｇｔｈ１は、以下の式によって算出できる。
【００９７】
【数１０】
2020115689.tif 000012
ここで、Ｎｕｍ＝Ｒ１／Ｒ１ｓｅｔ＝６４／３２＝２であり、
Ｒ１＿ｓｕｂｓｅｔｊ＝Ｒ１ｓｅｔ、ｊ＝１〜Ｎｕｍであり、
Ｇａｐ１ｊ＝Ｇａｐ１、ｊ＝１〜Ｎｕｍ−１であり、及び
Ｇａｐ１ｊ＝０、ｊ＝Ｎｕｍである。
【００９８】
［実施形態５］
ＮＢ−ＩｏＴシステムでは、アップリンクのシステム帯域幅は、１８０ｋＨｚである。図７に示すように、本実施形態では、基地局によって設定されたランダムアクセスチャネル（ＰＲＡＣＨ）によって占有されるアップリンク帯域幅は、４５ｋＨｚであり、ＰＲＡＣＨ副搬送波間隔は、３．７５ｋＨｚであり、合計１２個のＰＲＡＣＨ副搬送波が設定されている。
【００９９】
ＰＲＡＣＨで送信されるランダムアクセス信号（プリアンブル）は、１２８０ｍｓの送信期間を有することができる。
プリアンブルを送信する開始位置オフセットは、１２８ｍｓである。
プリアンブルを送信する基本ユニットの時間長Ｔ＿Ｕｎｉｔ１は、６．４ｍｓである。  プリアンブルを送信する基本ユニットの繰り返し送信の数Ｒ１は、｛１，２，４，８，１６，３２，６４，１２８｝から選択される。本実施形態では、Ｒ１＝６４である。
【０１００】
本実施形態では、プリアンブルを送信する基本ユニットの６４回の繰り返し送信は、合計４０９．６ｍｓの長さを有する。
プリアンブルを送信する基本ユニットの繰り返し送信回数がＲ１ｓｅｔより大きい場合、プリアンブルの基本ユニットのＲ１ｓｅｔ回の送信が完了した後、プリアンブルに送信ギャップＧａｐ１を導入する必要がある。Ｇａｐ１の間、プリアンブルは送信されない。本実施形態では、Ｒ１ｓｅｔ＝３２、Ｇａｐ１＝２０．２ｍｓであり、図７は、プリアンブルの基本ユニットの６４回の繰り返し送信の構造を示している。プリアンブルの基本ユニットの６４回の繰り返し送信の時間長Ｔ＿Ｌｅｎｇｔｈ１は、以下の式によって算出できる。
【０１０１】
【数１１】
2020115689.tif 000013
【０１０２】
ここで、Ｎｕｍ＝Ｒ１／Ｒ１ｓｅｔ＝６４／３２＝２であり、
Ｒ１＿ｓｕｂｓｅｔｊ＝Ｒ１ｓｅｔ、ｊ＝１〜Ｎｕｍであり、
Ｇａｐ１ｊ＝Ｇａｐ１、ｊ＝１〜Ｎｕｍである。
本実施形態に加えて、図８は、プリアンブルの基本ユニットの６４回の繰り返し送信の構造を示す。プリアンブルの基本ユニットの６４回の繰り返し送信の時間長Ｔ＿Ｌｅｎｇｔｈ１は、以下の式によって算出できる。
【０１０３】
【数１２】
2020115689.tif 000014
【０１０４】
ここで、Ｎｕｍ＝Ｒ１／Ｒ１ｓｅｔ＝６４／３２＝２であり、
Ｒ１＿ｓｕｂｓｅｔｊ＝Ｒ１ｓｅｔ、ｊ＝１〜Ｎｕｍであり、
Ｇａｐ１ｊ＝Ｇａｐ１、ｊ＝１〜Ｎｕｍ−１及び
Ｇａｐ１ｊ＝ＧＴ、ｊ＝Ｎｕｍである。
本実施形態では、ＧＴ＝０．２６６７ｍｓ又は１．２ｍｓである。
【０１０５】
［実施形態６］
ＮＢ−ＩｏＴシステムでは、アップリンクのシステム帯域幅は、１８０ｋＨｚである。図９に示すように、本実施形態では、基地局によって設定されたランダムアクセスチャネル（ＰＲＡＣＨ）によって占有されるアップリンク帯域幅は、４５ｋＨｚであり、ＰＲＡＣＨ副搬送波間隔は、３．７５ｋＨｚであり、合計１２個のＰＲＡＣＨ副搬送波が設定されている。
ＰＲＡＣＨで送信されるランダムアクセス信号（プリアンブル）は、１２８０ｍｓの送信期間を有することができる。
プリアンブルを送信する開始位置オフセットは、１２８ｍｓである。
プリアンブルを送信する基本ユニットの時間長Ｔ＿Ｕｎｉｔ１は、６．４ｍｓである。  プリアンブルを送信する基本ユニットの繰り返し送信の数Ｒ１は、｛１，２，４，８，１６，３２，６４，１２８｝から選択される。本実施形態では、Ｒ１＝６４である。
【０１０６】
本実施形態では、プリアンブルを送信する基本ユニットの６４回の繰り返し送信は、合計４０９．６ｍｓの長さを有する。
プリアンブルを送信する基本ユニットの繰り返し送信回数がＲ１ｓｅｔより大きい場合、プリアンブルの基本ユニットのＲ１ｓｅｔ回の送信が完了した後、プリアンブルに送信ギャップＧａｐ１を導入する必要がある。Ｇａｐ１の間、プリアンブルは送信されない。本実施形態では、Ｒ１ｓｅｔ＝３０であり、図９は、プリアンブルの基本ユニットの６４回の繰り返し送信の構造を示している。プリアンブルの基本ユニットの６４回の繰り返し送信の時間長Ｔ＿Ｌｅｎｇｔｈ１は、以下の式によって算出できる。
【０１０７】
【数１３】
2020115689.tif 000015
【０１０８】
ここで、
Ｎｕｍ＝［Ｒ１／Ｒ１ｓｅｔ］＝６４／３０＝３であり、
Ｒ１＿ｓｕｂｓｅｔｊ＝Ｒ１ｓｅｔ、ｊ＝１〜Ｎｕｍ−１であり、
Ｒ１＿ｓｕｂｓｅｔｊ＝Ｒ１−Ｒ１ｓｅｔ＊（Ｎｕｍ−１）、ｊ＝Ｎｕｍであり、及び  Ｒ１がＲ１ｓｅｔによって割り切れない場合、Ｇａｐ１ｊ＝Ｇａｐ１＝２０ｍｓ、ｊ＝１〜Ｎｕｍ−１、及びＧａｐ１ｊ＝ＧＴ＝０．４ｍｓ、ｊ＝Ｎｕｍである。
【０１０９】
［実施形態７］
ＮＢ−ＩｏＴシステムでは、アップリンクのシステム帯域幅は、１８０ｋＨｚである。図１０に示すように、本実施形態では、基地局によって設定されたランダムアクセスチャネル（ＰＲＡＣＨ）によって占有されるアップリンク帯域幅は、４５ｋＨｚであり、ＰＲＡＣＨ副搬送波間隔は、３．７５ｋＨｚであり、合計１２個のＰＲＡＣＨ副搬送波が設定されている。ＰＲＡＣＨで送信されるランダムアクセス信号（プリアンブル）は、６４０ｍｓの送信期間を有することができる。プリアンブルを送信する開始位置オフセットは、３２ｍｓである。ランダムアクセス信号（プリアンブル）の基本ユニットの時間長Ｔ＿Ｕｎｉｔ１は、６．４ｍｓである。プリアンブルを送信する基本ユニットの３２回の繰り返し送信は、２０４．８ｍｓの全長を有する。ガードタイムＧＴは、０．２６６７ｍｓ、すなわちＧＴ＝０．２６６７ｍｓである。
【０１１０】
本実施形態では、基地局によって端末のために設定されたアップリンクトラフィックチャネル（ＰＵＳＣＨ）は、単一の副搬送波を使用して送信される。副搬送波の間隔は、３．７５ｋＨｚである。基地局が端末に割り当てたＰＵＳＣＨのリソースは、８個のユニットを含む。各ユニットのサイズは、１副搬送波＊３２ｍｓである。基地局が端末に割り当てたＰＵＳＣＨは、Ｕｎｉｔ１〜Ｕｎｉｔ８の８個のユニットを占有する。図１０は、ＰＵＳＣＨ送信の位置を示している。
ＰＵＳＣＨ用リソース内のＵｎｉｔ７とＵｎｉｔ８と、ＰＲＡＣＨ用リソースとが重複しているため、Ｕｎｉｔ７とＵｎｉｔ８の送信は、延期される。図１１は、延期されたＰＵＳＣＨ送信を示す。Ｕｎｉｔ７及びＵｎｉｔ８の延期された送信の開始時刻は、Ｓｔａｒｔ２であり、これは、ＰＲＡＣＨ．Ｔ＿Ｌｅｎｇｔｈ１＝ＰＲＡＣＨ（２０４．８ｍｓ）＋ＧＴ（０．２６６７ｍｓ）の時間長Ｔ＿Ｌｅｎｇｔｈ１の後の最初の整数ミリ秒に対応する時刻である。
【０１１１】
［実施形態８］
ＮＢ−ＩｏＴシステムでは、アップリンクのシステム帯域幅は、１８０ｋＨｚである。図１２に示すように、本実施形態では、基地局によって設定されたランダムアクセスチャネル（ＰＲＡＣＨ）が占有するアップリンク帯域幅は、４５ｋＨｚであり、ＰＲＡＣＨ副搬送波間隔は、３．７５ｋＨｚであり、合計１２個のＰＲＡＣＨ副搬送波が設定されている。ＰＲＡＣＨで送信されるランダムアクセス信号（プリアンブル）は、６４０ｍｓの送信期間を有することができる。プリアンブルを送信する開始位置オフセットは、３２ｍｓである。ランダムアクセス信号（プリアンブル）の基本ユニットの時間長Ｔ＿Ｕｎｉｔ１は、６．４ｍｓである。次に、プリアンブルを送信する基本ユニットの３２回の繰り返し送信は、２０４．８ｍｓの全長を有する。ガードタイムＧＴは、１．２ｍｓ、すなわちＧＴ＝１．２ｍｓである。
【０１１２】
本実施形態では、基地局によって端末のために設定されたアップリンクトラフィックチャネル（ＰＵＳＣＨ）は、単一の副搬送波を使用して送信される。副搬送波の間隔は、３．７５ｋＨｚである。基地局が端末に割り当てたＰＵＳＣＨのリソースは、８個のユニットを含む。各ユニットのサイズは、１副搬送波＊３２ｍｓである。基地局が端末に割り当てたＰＵＳＣＨは、Ｕｎｉｔ１〜Ｕｎｉｔ８の８個のユニットを占有する。図１２は、ＰＵＳＣＨ送信の位置を示している。
ＰＵＳＣＨ用リソース内のＵｎｉｔ６、Ｕｎｉｔ７、Ｕｎｉｔ８と、ＰＲＡＣＨ用リソースが重複しているため、Ｕｎｉｔ６、Ｕｎｉｔ７、Ｕｎｉｔ８の送信は、延期される。図１３は、延期されたＰＵＳＣＨ送信を示す。Ｕｎｉｔ６、Ｕｎｉｔ７、Ｕｎｉｔ８の送信開始時刻は、Ｓｔａｒｔ２であり、これは、ＰＲＡＣＨ．Ｔ＿Ｌｅｎｇｔｈ１＝ＰＲＡＣＨ（２０４．８ｍｓ）＋ＧＴ（１．２ｍｓ）の時間長Ｔ＿Ｌｅｎｇｔｈ１の後の最初の整数ミリ秒に対応する時刻である。
【０１１３】
［実施形態９］
ＮＢ−ＩｏＴシステムでは、アップリンクのシステム帯域幅は、１８０ｋＨｚである。図１４に示すように、本実施形態では、基地局によって設定されたランダムアクセスチャネル（ＰＲＡＣＨ）によって占有されるアップリンク帯域幅は、４５ｋＨｚであり、ＰＲＡＣＨ副搬送波間隔は、３．７５ｋＨｚであり、合計１２個のＰＲＡＣＨ副搬送波が設定されている。ＰＲＡＣＨで送信されるランダムアクセス信号（プリアンブル）は、６４０ｍｓの送信期間を有することができる。プリアンブルを送信する開始位置オフセットは、３２ｍｓである。ランダムアクセス信号（プリアンブル）の基本ユニットの時間長Ｔ＿Ｕｎｉｔ１は、６．４ｍｓである。次に、プリアンブルを送信する基本ユニットの３２回の繰り返し送信は、２０４．８ｍｓの全長を有する。
【０１１４】
本実施形態では、基地局によって端末のために設定されたアップリンクトラフィックチャネル（ＰＵＳＣＨ）は、単一の副搬送波を使用して送信される。副搬送波の間隔は、３．７５ｋＨｚである。基地局が端末に割り当てたＰＵＳＣＨのリソースは、８個のユニットを含む。各ユニットのサイズは、１副搬送波＊３２ｍｓである。基地局が端末に割り当てたＰＵＳＣＨは、Ｕｎｉｔ１〜Ｕｎｉｔ８の８個のユニットを占有する。図１４は、ＰＵＳＣＨ送信の位置を示している。
【０１１５】
ＰＵＳＣＨ用リソース内のＵｎｉｔ６、Ｕｎｉｔ７、Ｕｎｉｔ８と、ＰＲＡＣＨ用リソースとが重複しているため、Ｕｎｉｔ６、Ｕｎｉｔ７、Ｕｎｉｔ８の送信は、延期される。図１５は、延期されたＰＵＳＣＨ送信を示す。Ｕｎｉｔ６、Ｕｎｉｔ７及びＵｎｉｔ８の延期された送信の開始時刻は、Ｓｔａｒｔ２であり、これは、ＰＲＡＣＨ．Ｔ＿Ｌｅｎｇｔｈ１＝ＰＲＡＣＨ（２０４．８ｍｓ）の時間長Ｔ＿Ｌｅｎｇｔｈ１の後の最初の整数ミリ秒に対応する時刻である。
【０１１６】
［実施形態１０］
ＮＢ−ＩｏＴシステムでは、アップリンクのシステム帯域幅は、１８０ｋＨｚである。図１６に示すように、本実施形態では、基地局によって設定されたランダムアクセスチャネル（ＰＲＡＣＨ）によって占有されるアップリンク帯域幅は、４５ｋＨｚであり、ＰＲＡＣＨ副搬送波間隔は、３．７５ｋＨｚであり、合計１２個のＰＲＡＣＨ副搬送波が設定されている。
【０１１７】
ＰＲＡＣＨで送信されるランダムアクセス信号（プリアンブル）は、１２８０ｍｓの送信期間を有することができる。
プリアンブルを送信する開始位置オフセットは、１２８ｍｓである。
プリアンブルを送信するための基本ユニットの時間長Ｔ＿Ｕｎｉｔ１は、６．４ｍｓである。
プリアンブルを送信する基本ユニットの繰り返し送信の数Ｒ１は、｛１，２，４，８，１６，３２，６４，１２８｝から選択される。本実施形態では、Ｒ１＝６４である。
プリアンブルを送信するためのガードタイムＧＴは、１．２ｍｓ、すなわちＧＴ＝１．２ｍｓである。
【０１１８】
本実施形態では、プリアンブルを送信する基本ユニットの６４回の繰り返し送信は、合計４０９．６ｍｓの長さを有する。
プリアンブルを送信する基本ユニットの繰り返し送信回数がＲ１ｓｅｔより大きい場合、プリアンブルの基本ユニットのＲ１ｓｅｔ回の送信が完了した後、プリアンブルに送信ギャップＧａｐ１を導入する必要がある。Ｇａｐ１の間、プリアンブルは送信されない。本実施形態では、Ｒ１ｓｅｔ＝３２、Ｇａｐ１＝２０ｍｓであり、図１６は、プリアンブルの基本ユニットの６４回の繰り返し送信の構造を示している。プリアンブルの基本ユニットの６４回の繰り返し送信の時間長Ｔ＿Ｌｅｎｇｔｈ１は、以下の式によって算出できる。
【０１１９】
【数１４】
2020115689.tif 000016
【０１２０】
ここで、Ｎｕｍ＝Ｒ１／Ｒ１ｓｅｔ＝６４／３２＝２、
Ｒ１＿ｓｕｂｓｅｔｊ＝Ｒ１ｓｅｔ、ｊ＝１〜Ｎｕｍであり、及び
Ｇａｐ１ｊ＝Ｇａｐ１、ｊ＝１〜Ｎｕｍである。
【０１２１】
本実施形態では、基地局によって端末のために設定されたアップリンクトラフィックチャネル（ＰＵＳＣＨ）は、単一の副搬送波を使用して送信される。副搬送波の間隔は、３．７５ｋＨｚである。基地局が端末に割り当てたＰＵＳＣＨのリソースは、３２ユニットを含む。各ユニットのサイズは、１副搬送波＊２ｍｓである。基地局が端末に割り当てたＰＵＳＣＨは、３２ユニット、すなわちＵｎｉｔ１〜Ｕｎｉｔ３２を占有する。図１７は、ＰＵＳＣＨ送信の位置を示している。
ＰＵＳＣＨ用リソース内のＵｎｉｔ３０〜Ｕｎｉｔ３２と、ＰＲＡＣＨ用リソースとが重複しているため、Ｕｎｉｔ３０〜Ｕｎｉｔ３２の送信は、延期される。図１８は、延期されたＰＵＳＣＨ送信を示す。Ｕｎｉｔ３０〜Ｕｎｉｔ３２の延期された送信の開始時刻は、Ｓｔａｒｔ２であり、これは、ＰＲＡＣＨの時間長Ｔ＿Ｌｅｎｇｔｈ１の後の最初の整数ミリ秒に対応する時刻である。
【０１２２】
［実施形態１１］
ＮＢ−ＩｏＴシステムでは、アップリンクのシステム帯域幅は、１８０ｋＨｚである。図１９に示すように、本実施形態では、基地局によって設定されたランダムアクセスチャネル（ＰＲＡＣＨ）によって占有されるアップリンク帯域幅は、４５ｋＨｚであり、ＰＲＡＣＨ副搬送波間隔は、３．７５ｋＨｚであり、合計１２個のＰＲＡＣＨ副搬送波が設定されている。
【０１２３】
ＰＲＡＣＨで送信されるランダムアクセス信号（プリアンブル）は、１２８０ｍｓの送信期間を有することができる。
プリアンブルを送信する開始位置オフセットは、１２８ｍｓである。
プリアンブルのＣＰは、０．２６６７ｍｓの長さを有し、プリアンブルを送信する基本ユニットの時間長Ｔ＿Ｕｎｉｔ１は、６．４ｍｓである。
プリアンブルを送信する基本ユニットの繰り返し送信の数Ｒ１は、｛１，２，４，８，１６，３２，６４，１２８｝から選択される。本実施形態では、Ｒ１＝６４である。
プリアンブルを送信するためのガードタイムＧＴ１は、１．２ｍｓ、すなわちＧＴ１＝１．２ｍｓである。
【０１２４】
本実施形態では、プリアンブルを送信する基本ユニットの６４回の繰り返し送信は、合計４０９．６ｍｓの長さを有する。
プリアンブルを送信する基本ユニットの繰り返し送信回数がＲ１ｓｅｔより大きい場合、プリアンブルの基本ユニットのＲ１ｓｅｔ回の送信が完了した後、プリアンブルに送信ギャップＧａｐ１を導入する必要がある。Ｇａｐ１の間、プリアンブルは送信されない。本実施形態では、Ｒ１ｓｅｔ＝３２、Ｇａｐ１＝２０ｍｓであり、図１９は、プリアンブルの基本ユニットの６４回の繰り返し送信の構造を示している。プリアンブルの基本ユニットの６４回の繰り返し送信の時間長Ｔ＿Ｌｅｎｇｔｈ１は、以下の式によって算出できる。
【０１２５】
【数１５】
2020115689.tif 000017
【０１２６】
ここで、Ｎｕｍ＝Ｒ１／Ｒ１ｓｅｔ＝６４／３２＝２であり、
Ｒ１＿ｓｕｂｓｅｔｊ＝Ｒ１ｓｅｔ、ｊ＝１〜Ｎｕｍであり、及び
Ｇａｐ１ｊ＝Ｇａｐ１、ｊ＝１〜Ｎｕｍである。
【０１２７】
本実施形態では、基地局によって端末のために設定されたアップリンクトラフィックチャネル（ＰＵＳＣＨ）は、単一の副搬送波を使用して送信される。副搬送波の間隔は、３．７５ｋＨｚである。基地局が端末に割り当てたＰＵＳＣＨのリソースは、３２ユニットを含む。各ユニットのサイズは、１副搬送波＊２ｍｓである。基地局が端末に割り当てたＰＵＳＣＨは、３２ユニット、すなわちＵｎｉｔ１〜Ｕｎｉｔ３２を占有する。図２０は、ＰＵＳＣＨ送信の位置を示している。
【０１２８】
ＰＵＳＣＨ用リソース内のＵｎｉｔ３０〜Ｕｎｉｔ３２と、ＰＲＡＣＨ用リソースとが重複しているため、Ｕｎｉｔ３０〜Ｕｎｉｔ３２の送信は、延期される。図２１は、延期されたＰＵＳＣＨ送信を示す。Ｕｎｉｔ３０〜Ｕｎｉｔ３２の延期された送信の開始時刻は、Ｓｔａｒｔ２であり、これは最後のＧＴの後の最初の整数ミリ秒に対応する時刻である。
【０１２９】
［実施形態１２］
ＮＢ−ＩｏＴシステムでは、アップリンクのシステム帯域幅は、１８０ｋＨｚである。図２２に示すように、本実施形態では、基地局によって設定されたランダムアクセスチャネル（ＰＲＡＣＨ）によって占有されるアップリンク帯域幅は、４５ｋＨｚであり、ＰＲＡＣＨ副搬送波間隔Δｆは、３．７５ｋＨｚであり、合計１２個のＰＲＡＣＨ副搬送波、すなわち、副搬送波０〜副搬送波１１が設定されている。
【０１３０】
ランダムアクセス信号のプリアンブルを構成する基本ユニットとして、Ｇｒｏｕｐ１〜Ｇｒｏｕｐ４を定義する。Ｇｒｏｕｐ１〜Ｇｒｏｕｐ４は、異なる副搬送波を介して送信され、各Ｇｒｏｕｐは、１個の循環プレフィックス（ＣＰ）及び５個のプリアンブルシンボルを含み、１個のプリアンブルシンボルは、時間領域シンボル長＝Ｔｋ＝１／Δｆ＝０．２６６７ｍｓを有する。
ＣＰの長さが０．２６６７ｍｓの場合、各Ｇｒｏｕｐの長さは、０．２６６７＋０．２６６７＊５＝１．６ｍｓであり、ユニットの長さは、１．６＊４＝６．４ｍｓである。
ＣＰの長さが０．０６６７ｍｓの場合、各Ｇｒｏｕｐの長さは、０．０６６７＋０．２６６７＊５＝１．４ｍｓであり、ユニットの長さは、１．４＊４＝５．６ｍｓである。
【０１３１】
本実施形態では、ＣＰの長さは、０．２６６７ｍｓであり、ユニットの長さは、６．４ｍｓである。
Ｇｒｏｕｐ２、Ｇｒｏｕｐ３及びＧｒｏｕｐ４に対応する副搬送波のインデックスは、Ｇｒｏｕｐ１に対応する副搬送波のインデックスに基づいて決定できる。図２２に示すように、端末がＧｒｏｕｐ１を送信するために副搬送波０を選択する場合、Ｇｒｏｕｐ２は、副搬送波１を介して送信され、Ｇｒｏｕｐ３は、副搬送波７を介して送信され、Ｇｒｏｕｐ４は、副搬送波６を介して送信される。
ランダムアクセス信号（プリアンブル）の基本ユニットの時間長Ｔ＿Ｕｎｉｔ１は、６．４ｍｓである。
【０１３２】
ＰＲＡＣＨで送信されるランダムアクセス信号（プリアンブル）は、１２８０ｍｓの送信期間を有することができる。
プリアンブルを送信する開始位置オフセットは、１２８ｍｓである。
プリアンブルを送信する基本ユニットの繰り返し送信の数Ｒ１は、｛１，２，４，８，１６，３２，６４，１２８｝から選択される。本実施形態では、Ｒ１＝６４である。
プリアンブルを送信するためのガードタイムＧＴ１は、１．２ｍｓ、すなわちＧＴ１＝１．２ｍｓである。
【０１３３】
本実施形態では、プリアンブルを送信する基本ユニットの６４回の繰り返し送信は、合計４０９．６ｍｓの長さを有する。
プリアンブルを送信する基本ユニットの繰り返し送信回数がＲ１ｓｅｔより大きい場合、プリアンブルの基本ユニットのＲ１ｓｅｔ回の送信が完了した後、プリアンブルに送信ギャップＧａｐ１を導入する必要がある。Ｇａｐ１の間、プリアンブルは送信されない。本実施形態では、Ｒ１ｓｅｔ＝３２、Ｇａｐ１＝２０ｍｓとし、図２３は、プリアンブルの基本ユニットの６４回の繰り返し送信の構造を示している。プリアンブルの基本ユニットの６４回の繰り返し送信の時間長Ｔ＿Ｌｅｎｇｔｈ１は、以下の式によって算出できる。
【０１３４】
【数１６】
2020115689.tif 000018
【０１３５】
ここで、Ｎｕｍ＝Ｒ１／Ｒ１ｓｅｔ＝６４／３２＝２であり、
Ｒ１＿ｓｕｂｓｅｔｊ＝Ｒ１ｓｅｔ、ｊ＝１〜Ｎｕｍであり、及び
Ｇａｐ１ｊ＝Ｇａｐ１、ｊ＝１〜Ｎｕｍである。
【０１３６】
アップリンクトラフィックチャネル（ＰＵＳＣＨ）の送信の時間長がＸスロット以上である場合、ＰＵＳＣＨの送信ギャップＧａｐ２を導入する必要がある。Ｇａｐ２は、Ｙスロットの長さを有する。Ｇａｐ２の間、ＰＵＳＣＨは送信されない。ＰＵＳＣＨによって使用される副搬送波間隔が３．７５ｋＨｚである場合、スロットの長さは、２ｍｓである。図２４は、スロット構造を示す。図示のように、１個のスロットは、７個のシンボル（シンボル０〜シンボル６）と１個のガードタイムＧＴを含む。本実施形態では、Ｘ＝１００及びＹ＝１０である。
【０１３７】
基地局によって端末のために設定されたアップリンクトラフィックチャネル（ＰＵＳＣＨ）は、単一の副搬送波を使用して送信される。副搬送波の間隔は、３．７５ｋＨｚである。
基地局によって端末のために設定されたアップリンクトラフィックチャネル（ＰＵＳＣＨ）は、１個のリソースユニット（ＲＵ）を占有することができる。各ＲＵは、１副搬送波＊３２ｍｓのサイズを有する。すなわち、ＲＵの時間領域長は、１６スロットである。本実施形態では、ＰＵＳＣＨは、８回の繰り返し送信を必要とし、すなわち、ＰＵＳＣＨ送信の時間領域長は、１６×８＝１２８スロットである。
【０１３８】
本実施形態では、ＰＵＳＣＨ送信の時間領域長がＸ＝１００スロットより大きいので、ＰＵＳＣＨの送信ギャップＧａｐ２を導入する必要がある。Ｇａｐ２の長さはＹ＝１０スロットである。ＰＵＳＣＨ送信の構成を図２５に示す。
本実施形態では、ＰＵＳＣＨ送信及びＰＡＲＣＨ送信によって占有されるリソースは、図２６に示す通りである。
【０１３９】
ＰＵＳＣＨ用リソース内のスロット９９〜スロット１２８と、ＰＲＡＣＨ用リソースとが重複しているため、スロット９９〜スロット１２８の送信は、延期される。図２７は、延期されたＰＵＳＣＨ送信を示す。スロット９９〜スロット１２８の延期された送信の開始時刻は、Ｓｔａｒｔ２であり、Ｓｔａｒｔ２＝ｍ＋ｋであり、ｍは最後のＰＲＡＣＨギャップが終了するスロットのインデックスであり、ｋ＝１である。すなわち、Ｓｔａｒｔ２は、最後のＰＲＡＣＨギャップの後の最初のスロットの開始時刻である。
本実施形態に加えて、図２８は、スロット９９〜スロット１２８の延期された送信を示す。図示されているように、延期されたスロット９９〜スロット１２８の開始時刻は、Ｓｔａｒｔ２であり、これは最後のＧＴの後の最初のスロットの開始時刻である。
【０１４０】
［実施形態１３］
ＮＢ−ＩｏＴシステムでは、アップリンクのシステム帯域幅は、１８０ｋＨｚである。図２９に示すように、本実施形態では、基地局によって設定されたランダムアクセスチャネル（ＰＲＡＣＨ）によって占有されるアップリンク帯域幅は、４５ｋＨｚであり、ＰＲＡＣＨ副搬送波間隔Δｆは、３．７５ｋＨｚであり、合計１２個のＰＲＡＣＨ副搬送波、すなわち副搬送波０〜副搬送波１１が設定されている。
【０１４１】
ランダムアクセス信号（プリアンブル）を構成する基本ユニット（プリアンブル）として、Ｇｒｏｕｐ１〜Ｇｒｏｕｐ４を定義する。Ｇｒｏｕｐ１〜Ｇｒｏｕｐ４は、異なる副搬送波を介して送信され、各Ｇｒｏｕｐは、１個の循環プレフィックス（ＣＰ）及び５個のプリアンブルシンボルを含み、１個のプリアンブルシンボルは、時間領域シンボル長Ｔｋ＝１／Δｆ＝０．２６６７ｍｓを有する。
ＣＰの長さが０．２６６７ｍｓの場合、各Ｇｒｏｕｐの長さは、０．２６６７＋０．２６６７＊５＝１．６ｍｓであり、ユニットの長さは、１．６＊４＝６．４ｍｓである。
ＣＰの長さが０．０６６７ｍｓの場合、各Ｇｒｏｕｐの長さは、０．０６６７＋０．２６６７＊５＝１．４ｍｓであり、ユニットの長さは、１．４＊４＝５．６ｍｓである。
【０１４２】
本実施形態では、ＣＰの長さは、０．２６６７ｍｓであり、ユニットの長さは、６．４ｍｓである。
Ｇｒｏｕｐ２、Ｇｒｏｕｐ３及びＧｒｏｕｐ４に対応する副搬送波のインデックスは、Ｇｒｏｕｐ１に対応する副搬送波のインデックスに基づいて決定できる。図２９に示すように、端末がＧｒｏｕｐ１を送信するために副搬送波０を選択する場合、Ｇｒｏｕｐ２は、副搬送波１を介して送信され、Ｇｒｏｕｐ３は、副搬送波７を介して送信され、Ｇｒｏｕｐ４は、副搬送波６を介して送信される。
【０１４３】
ランダムアクセス信号（プリアンブル）の基本ユニットの時間長Ｔ＿Ｕｎｉｔ１は、６．４ｍｓである。
ＰＲＡＣＨで送信されるランダムアクセス信号（プリアンブル）は、１２８０ｍｓの送信期間を有することができる。
プリアンブルを送信する開始位置オフセットは、１２８ｍｓである。
プリアンブルを送信する基本ユニットの繰り返し送信の数Ｒ１は、｛１，２，４，８，１６，３２，６４，１２８｝から選択される。本実施形態では、Ｒ１＝６４である。
プリアンブルを送信するためのガードタイムＧＴ１は、１．２ｍｓ、すなわちＧＴ１＝１．２ｍｓである。
【０１４４】
本実施形態では、プリアンブルを送信する基本ユニットの６４回の繰り返し送信は、合計４０９．６ｍｓの長さを有する。
プリアンブルを送信する基本ユニットの繰り返し送信回数がＲ１ｓｅｔより大きい場合、プリアンブルの基本ユニットのＲ１ｓｅｔ回の送信が完了した後、プリアンブルに送信ギャップＧａｐ１を導入する必要がある。Ｇａｐ１の間、プリアンブルは送信されない。本実施形態では、Ｒ１ｓｅｔ＝３２、Ｇａｐ１＝４０ｍｓであり、図３０は、プリアンブルの基本ユニットの６４回の繰り返し送信の構造を示している。プリアンブルの基本ユニットの６４回の繰り返し送信の時間長Ｔ＿Ｌｅｎｇｔｈ１は、以下の式によって算出できる。
【０１４５】
【数１７】
2020115689.tif 000019
【０１４６】
ここで、Ｎｕｍ＝Ｒ１／Ｒ１ｓｅｔ＝６４／３２＝２であり、
Ｒ１＿ｓｕｂｓｅｔｊ＝Ｒ１ｓｅｔ、ｊ＝１〜Ｎｕｍであり、及び
Ｇａｐ１ｊ＝Ｇａｐ１、ｊ＝１〜Ｎｕｍである。
アップリンクトラフィックチャネル（ＰＵＳＣＨ）の送信の時間長がＸスロット以上である場合、ＰＵＳＣＨの送信ギャップＧａｐ２を導入する必要がある。Ｇａｐ２は、Ｙスロットの長さを有する。Ｇａｐ２の間、ＰＵＳＣＨは送信されない。ＰＵＳＣＨによって使用される副搬送波間隔が１５ｋＨｚである場合、スロットは、１ｍｓの長さを有する。図３１にスロット構造を示す。図示のように、１個のスロットは、１４個のシンボル（シンボル０〜シンボル１３）を含む。本実施形態では、Ｘ＝１００及びＹ＝２０である。
基地局によって端末のために設定された物理アップリンク共有チャネル（ＰＵＳＣＨ）は、単一の副搬送波を使用して伝送される。副搬送波間隔は、１５ｋＨｚである。
【０１４７】
基地局によって端末のために設定された物理アップリンク共有チャネル（ＰＵＳＣＨ）は、１個のリソースユニット（ＲＵ）を占有することができる。各ＲＵは、１副搬送波＊８ｍｓのサイズを有する。すなわち、ＲＵの時間領域長は、８スロットである。本実施形態では、ＰＵＳＣＨは、１６回の繰り返し送信を必要とし、すなわち、ＰＵＳＣＨ送信の時間領域長は、８×１６＝１２８スロットである。
【０１４８】
本実施形態では、ＰＵＳＣＨ送信の時間領域長がＸ＝１００スロットより大きいので、ＰＵＳＣＨの送信ギャップＧａｐ２を導入する必要がある。Ｇａｐ２の長さはＹ＝２０スロットである。図３２は、ＰＵＳＣＨ送信の構成を示す図である。
本実施形態では、ＰＵＳＣＨ送信及びＰＡＲＣＨ送信によって占有されるリソースは、図３３に示す通りである。
【０１４９】
ＰＵＳＣＨ用リソース内のスロット１０１〜スロット１２８と、ＰＲＡＣＨ用リソースとが重複しているため、スロット１０１〜スロット１２８の送信は、延期される。図３４は、延期されたＰＵＳＣＨ送信を示す。スロット１０１〜スロット１２８の延期された送信の開始時刻は、Ｓｔａｒｔ２であり、これは、最後のＧＴの後の最初の整数ミリ秒に対応する時刻又は最後のＧＴの後の最初のスロットの開始時刻である。
本実施形態に加えて、図３５は、スロット１０１〜スロット１２８の延期された送信を示す。図示されているように、延期されたスロット１０１〜スロット１２８の開始時刻は、Ｓｔａｒｔ２であり、これは最初のＧＴの後の最初の整数ミリ秒に対応する時刻又は最初のＧＴの後の最初のスロットの開始時刻である。
【０１５０】
［実施形態１４］
ＮＢ−ＩｏＴシステムでは、アップリンクのシステム帯域幅は、１８０ｋＨｚである。図３６に示すように、本実施形態では、基地局によって設定されたランダムアクセスチャネル（ＰＲＡＣＨ）によって占有されるアップリンク帯域幅は、４５ｋＨｚであり、ＰＲＡＣＨ副搬送波間隔Δｆは、３．７５ｋＨｚであり、合計１２個のＰＲＡＣＨ副搬送波、すなわち、副搬送波０〜副搬送波１１が設定されている。
【０１５１】
ランダムアクセス信号（プリアンブル）を構成する基本ユニットとして、Ｇｒｏｕｐ１〜Ｇｒｏｕｐ４を定義する。Ｇｒｏｕｐ１〜Ｇｒｏｕｐ４は、異なる副搬送波を介して送信され、各Ｇｒｏｕｐは、１個の循環プレフィックス（ＣＰ）及び５個のプリアンブルシンボルを含み、１個のプリアンブルシンボルは、時間領域シンボル長Ｔｋ＝１／Δｆ＝０．２６６７ｍｓを有する。
【０１５２】
ＣＰの長さが０．２６６７ｍｓの場合、各Ｇｒｏｕｐの長さは、０．２６６７＋０．２６６７＊５＝１．６ｍｓであり、ユニットの長さは、１．６＊４＝６．４ｍｓである。
ＣＰの長さが０．０６６７ｍｓの場合、各Ｇｒｏｕｐの長さは、０．０６６７＋０．２６６７＊５＝１．４ｍｓであり、ユニットの長さは、１．４＊４＝５．６ｍｓである。
【０１５３】
本実施形態では、ＣＰの長さは、０．２６６７ｍｓであり、ユニットの長さは、６．４ｍｓである。
Ｇｒｏｕｐ２、Ｇｒｏｕｐ３及びＧｒｏｕｐ４に対応する副搬送波のインデックスは、Ｇｒｏｕｐ１に対応する副搬送波のインデックスに基づいて決定できる。図３６に示すように、端末がＧｒｏｕｐ１を送信するために副搬送波０を選択する場合、Ｇｒｏｕｐ２は、副搬送波１を介して送信され、Ｇｒｏｕｐ３は、副搬送波７を介して送信され、Ｇｒｏｕｐ４は、副搬送波６を介して送信される。
【０１５４】
ランダムアクセス信号（プリアンブル）の基本ユニットの時間長Ｔ＿Ｕｎｉｔ１は、６．４ｍｓである。
ＰＲＡＣＨで送信されるランダムアクセス信号（プリアンブル）は、１２８０ｍｓの送信期間を有することができる。
プリアンブルを送信する開始位置オフセットは、１２８ｍｓである。
プリアンブルを送信する基本ユニットの繰り返し送信の数Ｒ１は、｛１，２，４，８，１６，３２，６４，１２８｝から選択される。本実施形態では、Ｒ１＝６４である。
プリアンブルを送信するためのガードタイムＧＴ１は、１．２ｍｓ、すなわちＧＴ１＝１．２ｍｓである。
【０１５５】
本実施形態では、プリアンブルを送信する基本ユニットの６４回の繰り返し送信は、合計４０９．６ｍｓの長さを有する。
プリアンブルを送信する基本ユニットの繰り返し送信回数がＲ１ｓｅｔより大きい場合、プリアンブルの基本ユニットのＲ１ｓｅｔ回の送信が完了した後、プリアンブルに送信ギャップＧａｐ１を導入する必要がある。Ｇａｐ１の間、プリアンブルは送信されない。本実施形態では、Ｒ１ｓｅｔ＝３２、Ｇａｐ１＝２０ｍｓであり、図３７は、プリアンブルの基本ユニットの６４回の繰り返し送信の構造を示している。プリアンブルの基本ユニットの６４回の繰り返し送信の時間長Ｔ＿Ｌｅｎｇｔｈ１は、以下の式によって算出できる。
【０１５６】
【数１８】
2020115689.tif 000020
【０１５７】
ここで、Ｎｕｍ＝Ｒ１／Ｒ１ｓｅｔ＝６４／３２＝２であり、
Ｒ１＿ｓｕｂｓｅｔｊ＝Ｒ１ｓｅｔ、ｊ＝１〜Ｎｕｍであり、及び
Ｇａｐ１ｊ＝Ｇａｐ１、ｊ＝１〜Ｎｕｍである。
【０１５８】
アップリンク物理共有チャネル（ＰＵＳＣＨ）の送信時間がＸスロット以上である場合には、ＰＵＳＣＨの送信ギャップＧａｐ２を導入する必要がある。Ｇａｐ２は、Ｙスロットの長さを有する。Ｇａｐ２の間、ＰＵＳＣＨは送信されない。ＰＵＳＣＨによって使用される副搬送波間隔が３．７５ｋＨｚである場合、スロットの長さは、２ｍｓである。図３８にスロット構造を示す。図示されているように、１個のスロットは、７個のシンボル（シンボル０〜シンボル６）を含む。本実施形態では、Ｘ＝１００及びＹ＝１０である。  基地局によって端末のために設定されたアップリンク物理共有チャネル（ＰＵＳＣＨ）は、単一の副搬送波を使用して送信される。副搬送波の間隔は、３．７５ｋＨｚである。  基地局によって端末のために設定されたアップリンク物理共有チャネル（ＰＵＳＣＨ）は、１個のリソースユニット（ＲＵ）を占有することができる。各ＲＵは、１副搬送波＊３２ｍｓのサイズを有する。すなわち、ＲＵの時間領域長は、８スロットである。本実施形態では、ＰＵＳＣＨは、８回の繰り返し送信を必要とし、すなわち、ＰＵＳＣＨ送信の時間領域長は、１６×８＝１２８スロットである。
【０１５９】
本実施形態では、ＰＵＳＣＨ送信の時間領域長がＸ＝１００スロットより大きいので、ＰＵＳＣＨの送信ギャップＧａｐ２を導入する必要がある。Ｇａｐ２の長さはＹ＝１０スロットである。ＰＵＳＣＨ送信の構成を図３９に示す。本実施形態では、ＰＵＳＣＨ送信及びＰＡＲＣＨ送信によって占有されるリソースは、図４０に示す通りである。
【０１６０】
図４１に示すように、ＰＵＳＣＨ用リソース内のスロット１００〜スロット１２８と、ＰＲＡＣＨ用リソースとが重複し、スロット９９の半分と、ＰＲＡＣＨ用リソースとが重複しているため、スロット９９の後半及びスロット１００〜スロット１２８の送信を延期する。図４２は、延期されたＰＵＳＣＨ送信を示す。スロット９９及びスロット１００〜スロット１２８の後半の延期された送信の開始時刻は、Ｓｔａｒｔ２であり、これは最後のＰＲＡＣＨギャップ後の最初の整数ミリ秒に対応する時刻である。
図４２に示すように、スロットＡは、図４１に示すスロット９９の最初の１ｍｓの構造と同じ構造を有し、シンボル３は送信されない。
図４２に示すように、スロットＢは、図４１に示すスロット９９の次の１ｍｓと同じ構造を有し、シンボル３は送信されない。
【０１６１】
［実施形態１５］
ＰＵＳＣＨ用のリソースとＰＲＡＣＨ用のリソースは重複していないが、ＰＵＳＣＨ用のリソースが位置する周波数領域位置とＰＲＡＣＨ用のリソースが位置する周波数領域位置との間のギャップがＡＨｚより小さい（又はＡＨｚ以下である）場合、ＰＲＡＣＨ用のリソースと同じ時間領域位置におけるＰＵＳＣＨ用のリソースの送信を延期する必要がある。送信を延期するソリューションは、実施形態７〜１４で説明したものと同様のものであってもよい。
ＡはＰＲＡＣＨの副搬送波間隔Ｓ１の数ｎであり、ｎは、デフォルトで１又は２に設定され、或いはｎはシグナリングを介して設定された値を有し、｛０，１，２，３｝、｛０，１，２，４｝、又は｛１，２，３，４｝から選択してもよい。
本実施形態では、Ｓ１＝３．７５ｋＨｚである。
本実施形態に加えて、Ａは、ＰＵＳＣＨの副搬送波間隔Ｓ２の数ｎとすることができ、ここで、ｎは、デフォルトで１又は２に設定され、或いはｎは、シグナリングを介して設定され、｛０、１，２，３｝、｛０，１，２，４｝、又は｛１，２，３，４｝から選択してもよい。
【０１６２】
本実施形態では、Ｓ２＝３．７５ｋＨｚである。
本実施形態に加えて、Ａは、ＰＵＳＣＨの副搬送波間隔Ｓ２の数ｎとすることができ、ここで、ｎは、デフォルトで１又は２に設定され、或いはｎは、シグナリングを介して設定され、｛０、１｝又は｛１，２｝から選択してもよい。
本実施形態では、Ｓ２＝１５ｋＨｚである。
【０１６３】
［実施形態１６］
ＰＵＳＣＨ用リソースとＰＲＡＣＨ用リソースが部分的に重複している場合、ＰＲＡＣＨ用リソースと同じ時間領域位置を有するＰＵＳＣＨ用リソースの送信を延期する必要がある。延期は、実施形態７〜１４と同じである。
【０１６４】
［実施形態１７］
ＮＢ−ＩｏＴシステムでは、アップリンクのシステム帯域幅は、１８０ｋＨｚである。図４３に示すように、本実施形態では、基地局によって設定されたランダムアクセスチャネル（ＰＲＡＣＨ）が占有するアップリンク帯域幅は、４５ｋＨｚであり、ＰＲＡＣＨ副搬送波間隔Δｆは、３．７５ｋＨｚであり、合計１２個のＰＲＡＣＨ副搬送波、すなわち、副搬送波０〜副搬送波１１が設定されている。
ランダムアクセス信号（プリアンブル）を構成する基本ユニットとして、Ｇｒｏｕｐ１〜Ｇｒｏｕｐ４を定義する。Ｇｒｏｕｐ１〜Ｇｒｏｕｐ４は、異なる副搬送波を介して送信され、各Ｇｒｏｕｐは、１個の循環プレフィックス（ＣＰ）及び５個のプリアンブルシンボルを含み、１個のプリアンブルシンボルは、時間領域シンボル長Ｔｋ＝１／Δｆ＝０．２６６７ｍｓを有する。
【０１６５】
ＣＰの長さが０．２６６７ｍｓの場合、各Ｇｒｏｕｐの長さは、０．２６６７＋０．２６６７＊５＝１．６ｍｓであり、ユニットの長さは、１．６＊４＝６．４ｍｓである。
ＣＰの長さが０．０６６７ｍｓの場合、各Ｇｒｏｕｐの長さは、０．０６６７＋０．２６６７＊５＝１．４ｍｓであり、ユニットの長さは、１．４＊４＝５．６ｍｓである。
【０１６６】
本実施形態では、ＣＰの長さは、０．２６６７ｍｓであり、ユニットの長さは、６．４ｍｓである。
Ｇｒｏｕｐ２、Ｇｒｏｕｐ３及びＧｒｏｕｐ４に対応する副搬送波のインデックスは、Ｇｒｏｕｐ１に対応する副搬送波のインデックスに基づいて決定できる。図４３に示すように、端末がＧｒｏｕｐ１を送信するために副搬送波０を選択する場合、Ｇｒｏｕｐ２は、副搬送波１を介して送信され、Ｇｒｏｕｐ３は、副搬送波７を介して送信され、Ｇｒｏｕｐ４は、副搬送波６を介して送信される。
ランダムアクセス信号（プリアンブル）の基本ユニットの時間長Ｔ＿Ｕｎｉｔ１は、６．４ｍｓである。
【０１６７】
ＰＲＡＣＨで送信されるランダムアクセス信号（プリアンブル）は、１２８０ｍｓの送信期間を有することができる。
プリアンブルを送信する開始位置オフセットは、１２８ｍｓである。
プリアンブルを送信する基本ユニットの繰り返し送信の数Ｒ１は、｛１，２，４，８，１６，３２，６４，１２８｝から選択される。本実施形態では、Ｒ１＝１６である。
プリアンブルを送信するためのガードタイムＧＴ１は、０．６ｍｓ、すなわちＧＴ１＝０．６ｍｓである。
【０１６８】
本実施形態では、プリアンブルを送信する基本ユニットの１６回の繰り返し送信は、１０２．４ｍｓの全長を有し、その構造を図４４に示す。
図４５は、ＰＵＳＣＨで搬送されるデータの変調符号化方式がＱＰＳＫ１／２である場合のＰＵＳＣＨ送信のためのリソースの位置を示す。図示のように、ＰＵＳＣＨのためのリソース及びＰＲＡＣＨ用のリソースは、部分的に重複する。本実施形態では、ＰＲＵＳ用のリソースと重複しないＰＵＳＣＨ用のリソースの部分は、ＰＵＳＣＨで搬送されるデータの送信に使用できる。ＰＵＳＣＨのための利用可能なリソースの量の減少のために、搬送されるデータのＰＵＳＣＨの変調及び符号化方式を調整するためにレートマッチングが必要となる。本実施形態では、変調及び符号化方式をＱＰＳＫ３／４に調整できる。
【０１６９】
［実施形態１８］
ＮＢ−ＩｏＴシステムでは、アップリンクのシステム帯域幅は、１８０ｋＨｚである。図４６に示すように、本実施形態では、基地局によって設定されたランダムアクセスチャネル（ＰＲＡＣＨ）によって占有されるアップリンク帯域幅は、４５ｋＨｚであり、ＰＲＡＣＨ副搬送波間隔Δｆは、３．７５ｋＨｚであり、合計１２個のＰＲＡＣＨ副搬送波、すなわち、副搬送波０〜副搬送波１１が設定されている。
【０１７０】
ランダムアクセス信号（プリアンブル）を構成する基本ユニットとして、Ｇｒｏｕｐ１〜Ｇｒｏｕｐ４を定義する。Ｇｒｏｕｐ１〜Ｇｒｏｕｐ４は異なる副搬送波を介して送信される各Ｇｒｏｕｐは、１個の循環プレフィックス（ＣＰ）と５個のプリアンブルシンボルとを含み、１個のプリアンブルシンボルは、時間領域シンボル長Ｔｋ＝１／Δｆ＝０．２６６７ｍｓを有する。
【０１７１】
ＣＰの長さが０．２６６７ｍｓの場合、各Ｇｒｏｕｐの長さは、０．２６６７＋０．２６６７＊５＝１．６ｍｓであり、ユニットの長さは、１．６＊４＝６．４ｍｓである。
ＣＰの長さが０．０６６７ｍｓの場合、各Ｇｒｏｕｐの長さは、０．０６６７＋０．２６６７＊５＝１．４ｍｓであり、ユニットの長さは、１．４＊４＝５．６ｍｓである。
【０１７２】
本実施形態では、ＣＰの長さは、０．２６６７ｍｓであり、ユニットの長さは、６．４ｍｓである。
Ｇｒｏｕｐ２、Ｇｒｏｕｐ３及びＧｒｏｕｐ４に対応する副搬送波のインデックスは、Ｇｒｏｕｐ１に対応する副搬送波のインデックスに基づいて決定できる。図４６に示すように、端末がＧｒｏｕｐ１を送信するために副搬送波０を選択する場合、Ｇｒｏｕｐ２は、副搬送波１を介して送信され、Ｇｒｏｕｐ３は、副搬送波７を介して送信され、Ｇｒｏｕｐ４は、副搬送波６を介して送信される。
ランダムアクセス信号（プリアンブル）の基本ユニットの時間長Ｔ＿Ｕｎｉｔ１は、６．４ｍｓである。
【０１７３】
ＰＲＡＣＨで送信されるランダムアクセス信号（プリアンブル）は、１２８０ｍｓの送信期間を有することができる。
プリアンブルを送信する開始位置オフセットは、１２８ｍｓである。
プリアンブルを送信する基本ユニットの繰り返し送信の数Ｒ１は、｛１，２，４，８，１６，３２，６４，１２８｝から選択される。本実施形態では、Ｒ１＝１６である。
プリアンブルを送信するためのガードタイムＧＴ１は、０．６ｍｓ、すなわちＧＴ１＝０．６ｍｓである。
【０１７４】
本実施形態では、プリアンブルを送信する基本ユニットの１６回の繰り返し送信は、１０２．４ｍｓの全長を有し、その構造を図４７に示す。
ＰＵＳＣＨで搬送されるデータの変調及び符号化方式がＱＰＳＫ１／２である場合、ＰＵＳＣＨ用のリソースは、３副搬送波×４ｍｓのサイズを有するＮ個のＲＵを占有し、副搬送波間隔は、１５ｋＨｚである。ＰＵＳＣＨの周波数領域帯域幅とＰＲＡＣＨの周波数領域リソースとの間の重複部分とＰＵＳＣＨの周波数領域帯域幅との比がｃ％以下である場合、ＰＲＡＣＨ用のリソースと重複しないＰＵＳＣＨ用のリソースの部分は、ＰＵＳＣＨで搬送されるデータの送信に使用できる。ＰＵＳＣＨのための利用可能なリソースの量の減少のために、搬送されるデータのＰＵＳＣＨの変調及び符号化方式を調整するためにレートマッチングが必要となる。本実施形態では、変調及び符号化方式をＱＰＳＫ３／４に調整できる。
【０１７５】
ＰＵＳＣＨで搬送されるデータの変調及び符号化方式がＱＰＳＫ１／２である場合、ＰＵＳＣＨのためのリソースは、３副搬送波＊４ｍｓのサイズを有するＮ個のＲＵを占有し、副搬送波間隔は、１５ｋＨｚであるＰＵＳＣＨの周波数領域帯域幅とＰＲＡＣＨの周波数領域リソースとの間の重複部分とＰＵＳＣＨの周波数領域帯域幅との比がｃ％より大きい場合、（ＰＵＳＣＨ用の全ての周波数領域リソースに亘って）ＰＲＡＣＨ用のリソースと同じ時間領域位置におけるＰＵＳＣＨ用のリソースの送信を延期する必要がある。送信を延期するソリューションは、実施形態７〜１４で説明したものと同様であってもよい。
【０１７６】
［実施形態１９］
ＮＢ−ＩｏＴシステムでは、アップリンクのシステム帯域幅は、１８０ｋＨｚである。図４８に示すように、本実施形態では、基地局によって設定されたランダムアクセスチャネル（ＰＲＡＣＨ）が占有するアップリンク帯域幅は、４５ｋＨｚであり、ＰＲＡＣＨ副搬送波間隔Δｆは、３．７５ｋＨｚであり、合計１２個のＰＲＡＣＨ副搬送波、すなわち、副搬送波０〜副搬送波１１が設定されている。
【０１７７】
ランダムアクセス信号（プリアンブル）を形成する基本ユニットとして、Ｇｒｏｕｐ１〜Ｇｒｏｕｐ４を定義する。Ｇｒｏｕｐ１〜Ｇｒｏｕｐ４は、異なる副搬送波を介して送信され、各Ｇｒｏｕｐは、１個の循環プレフィックス（ＣＰ）及び５個のプリアンブルシンボルを含み、１個のプリアンブルシンボルは、時間領域シンボル長Ｔｋ＝１／Δｆ＝０．２６６７ｍｓを有する。
【０１７８】
ＣＰの長さが０．２６６７ｍｓの場合、各Ｇｒｏｕｐの長さは、０．２６６７＋０．２６６７＊５＝１．６ｍｓであり、ユニットの長さは、１．６＊４＝６．４ｍｓである。
ＣＰの長さが０．０６６７ｍｓの場合、各Ｇｒｏｕｐの長さは、０．０６６７＋０．２６６７＊５＝１．４ｍｓであり、ユニットの長さは、１．４＊４＝５．６ｍｓである。
【０１７９】
本実施形態では、ＣＰの長さは、０．２６６７ｍｓであり、ユニットの長さは、６．４ｍｓである。
Ｇｒｏｕｐ２、Ｇｒｏｕｐ３及びＧｒｏｕｐ４に対応する副搬送波のインデックスは、Ｇｒｏｕｐ１に対応する副搬送波のインデックスに基づいて決定できる。図４８に示すように、端末がＧｒｏｕｐ１を送信するために副搬送波０を選択する場合、Ｇｒｏｕｐ２は、副搬送波１を介して送信され、Ｇｒｏｕｐ３は、副搬送波７を介して送信され、Ｇｒｏｕｐ４は、副搬送波６を介して送信される。
ランダムアクセス信号（プリアンブル）の基本ユニットの時間長Ｔ＿Ｕｎｉｔ１は、６．４ｍｓである。
【０１８０】
ＰＲＡＣＨで送信されるランダムアクセス信号（プリアンブル）は、１２８０ｍｓの送信期間を有することができる。
プリアンブルを送信する開始位置オフセットは、１２８ｍｓである。
プリアンブルを送信する基本ユニットの繰り返し送信の数Ｒ１は、｛１，２，４，８，１６，３２，６４，１２８｝から選択される。本実施形態では、Ｒ１＝６４である。
プリアンブルを送信するためのガードタイムＧＴ１は、１．２ｍｓ、すなわちＧＴ１＝１．２ｍｓである。
【０１８１】
本実施形態では、プリアンブルを送信する基本ユニットの６４回の繰り返し送信は、合計４０９．６ｍｓの長さを有する。
プリアンブルを送信する基本ユニットの繰り返し送信回数がＲ１ｓｅｔより大きい場合、プリアンブルの基本ユニットのＲ１ｓｅｔ回の送信が完了した後、プリアンブルに送信ギャップＧａｐ１を導入する必要がある。Ｇａｐ１の間、プリアンブルは送信されない。本実施形態では、Ｒ１ｓｅｔ＝３２、Ｇａｐ１＝２０ｍｓであり、図４９は、プリアンブルの基本ユニットの６４回の繰り返し送信の構造を示している。プリアンブルの基本ユニットの６４回の繰り返し送信の時間長Ｔ＿Ｌｅｎｇｔｈ１は、以下の式によって算出できる。
【０１８２】
【数１９】
2020115689.tif 000021
【０１８３】
ここで、Ｎｕｍ＝Ｒ１／Ｒ１ｓｅｔ＝６４／３２＝２であり、
Ｒ１＿ｓｕｂｓｅｔｊ＝Ｒ１ｓｅｔ、ｊ＝１〜Ｎｕｍであり、及び
Ｇａｐ１ｊ＝Ｇａｐ１、ｊ＝１〜Ｎｕｍである。
【０１８４】
アップリンクトラフィックチャネル（ＰＵＳＣＨ）の送信の時間長がＸスロット以上である場合、ＰＵＳＣＨの送信ギャップＧａｐ２を導入する必要がある。Ｇａｐ２は、Ｙスロットの長さを有する。Ｇａｐ２の間、ＰＵＳＣＨは送信されない。ＰＵＳＣＨによって使用される副搬送波間隔が３．７５ｋＨｚである場合、スロットの長さは、２ｍｓである。図５０にスロット構造を示す。図示されているように、１個のスロットは、７個のシンボル（シンボル０〜シンボル６）を含む。本実施形態では、Ｘ＝１００及びＹ＝１０である。
基地局によって端末のために設定されたアップリンクトラフィックチャネル（ＰＵＳＣＨ）は、単一の副搬送波を使用して送信される。副搬送波の間隔は、３．７５ｋＨｚである。
【０１８５】
基地局によって端末のために設定されたアップリンクトラフィックチャネル（ＰＵＳＣＨ）は、１個のリソースユニット（ＲＵ）を占有することができる。各ＲＵは、１副搬送波＊３２ｍｓのサイズを有する。すなわち、ＲＵの時間領域長は、１６スロットである。本実施形態では、ＰＵＳＣＨは、８回の繰り返し送信を必要とし、すなわち、ＰＵＳＣＨ送信の時間領域長は、１６×８＝１２８スロットである。
【０１８６】
本実施形態では、ＰＵＳＣＨ送信の時間領域長がＸ＝１００スロットより大きいので、ＰＵＳＣＨの送信ギャップＧａｐ２を導入する必要がある。Ｇａｐ２の長さはＹ＝１０スロットである。図５１にＰＵＳＣＨ送信の構成を示す。
【０１８７】
本実施形態では、ＰＵＳＣＨ送信及びＰＡＲＣＨ送信によって占有されるリソースは、図５２に示す通りである。
ＰＵＳＣＨ用リソース内のスロット９９〜スロット１２８と、ＰＲＡＣＨ用リソースとが重複するため、スロット９９〜スロット１２８の送信を延期する必要がある。図５３は、延期されたＰＵＳＣＨ送信を示す。スロット９９〜スロット１２８の延期された送信の開始時刻は、Ｓｔａｒｔ２−１であり、これはスロット９９の後の最初のＰＲＡＣＨギャップ内の最初のスロットの開始時刻、スロット９９の後の最初のＰＲＡＣＨギャップ内の最初の整数ミリ秒の開始時刻、スロット９９の後の最初のＧＴの終了時刻の後の最初のスロットの開始時刻、又はスロット９９の後の最初のＧＴの終了時刻の後の最初の整数ミリ秒の開始時刻である。
【０１８８】
本実施形態では、Ｓｔａｒｔ２−１以降、第１のＰＲＡＣＨギャップにおいて、スロット９９及びスロット１００の２つのスロットのみを送信できる。したがって、スロット１０１〜スロット１２８の延期された送信の開始時刻は、Ｓｔａｒｔ２−２であり、これは、スロット９９の後の第２のＰＲＡＣＨギャップ内の最初のスロットの開始時刻、スロット９９の後の第２のＰＲＡＣＨギャップ内の最初の整数ミリ秒の開始時刻、スロット９９の後の第２のＧＴの終了時刻の後の最初のスロットの開始時刻、又はスロット９９の後の第２のＧＴの終了時刻の後の最初の整数ミリ秒の開始時刻である。
【０１８９】
［実施形態２０］
ＮＢ−ＩｏＴシステムでは、アップリンクのシステム帯域幅は、１８０ｋＨｚである。図５４に示すように、本実施形態では、基地局によって設定されたランダムアクセスチャネル（ＰＲＡＣＨ）によって占有されるアップリンク帯域幅は、４５ｋＨｚであり、ＰＲＡＣＨ副搬送波間隔Δｆは、３．７５ｋＨｚであり、合計１２個のＰＲＡＣＨ副搬送波、すなわち、副搬送波０〜副搬送波１１が設定されている。
【０１９０】
ランダムアクセス信号（プリアンブル）を構成する基本ユニットとして、Ｇｒｏｕｐ１〜Ｇｒｏｕｐ４を定義する。Ｇｒｏｕｐ１〜Ｇｒｏｕｐ４は、異なる副搬送波を介して送信され、各Ｇｒｏｕｐは、１個の循環プレフィックス（ＣＰ）及び５個のプリアンブルシンボルを含み、１個のプリアンブルシンボルは、時間領域シンボル長Ｔｋ＝１／Δｆ＝０．２６６７ｍｓを有する。
【０１９１】
ＣＰの長さが０．２６６７ｍｓの場合、各Ｇｒｏｕｐの長さは、０．２６６７＋０．２６６７＊５＝１．６ｍｓであり、ユニットの長さは、１．６＊４＝６．４ｍｓである。
ＣＰの長さが０．０６６７ｍｓの場合、各Ｇｒｏｕｐの長さは、０．０６６７＋０．２６６７＊５＝１．４ｍｓであり、ユニットの長さは、１．４＊４＝５．６ｍｓである。
【０１９２】
本実施形態では、ＣＰの長さは、０．２６６７ｍｓであり、ユニットの長さは、６．４ｍｓである。
Ｇｒｏｕｐ２、Ｇｒｏｕｐ３及びＧｒｏｕｐ４に対応する副搬送波のインデックスは、Ｇｒｏｕｐ１に対応する副搬送波のインデックスに基づいて決定できる。図５４に示すように、端末がＧｒｏｕｐ１を送信するために副搬送波０を選択する場合、Ｇｒｏｕｐ２は、副搬送波１を介して送信され、Ｇｒｏｕｐ３は、副搬送波７を介して送信され、Ｇｒｏｕｐ４は、副搬送波６を介して送信される。
ランダムアクセス信号（プリアンブル）の基本ユニットの時間長Ｔ＿Ｕｎｉｔ１は、６．４ｍｓである。
【０１９３】
ＰＲＡＣＨで送信されるランダムアクセス信号（プリアンブル）は、１２８０ｍｓの送信期間を有することができる。
プリアンブルを送信する開始位置オフセットは、１２８ｍｓである。
プリアンブルを送信する基本ユニットの繰り返し送信の数Ｒ１は、｛１，２，４，８，１６，３２，６４，１２８｝から選択される。本実施形態では、Ｒ１＝６４である。
プリアンブルを送信するためのガードタイムＧＴ１は、１．２ｍｓ、すなわちＧＴ１＝１．２ｍｓである。
【０１９４】
本実施形態では、プリアンブルを送信する基本ユニットの６４回の繰り返し送信は、合計４０９．６ｍｓの長さを有する。
プリアンブルを送信する基本ユニットの繰り返し送信回数がＲ１ｓｅｔより大きい場合、プリアンブルの基本ユニットのＲ１ｓｅｔ回の送信が完了した後、プリアンブルに送信ギャップＧａｐ１を導入する必要がある。Ｇａｐ１の間、プリアンブルは送信されない。本実施形態では、Ｒ１ｓｅｔ＝３２、Ｇａｐ１＝２０ｍｓであり、図５５は、プリアンブルの基本ユニットの６４回の繰り返し送信の構造を示している。プリアンブルの基本ユニットの６４回の繰り返し送信の時間長Ｔ＿Ｌｅｎｇｔｈ１は、以下の式によって算出できる。
【０１９５】
【数２０】
2020115689.tif 000022
【０１９６】
ここで、Ｎｕｍ＝Ｒ１／Ｒ１ｓｅｔ＝６４／３２＝２であり、
Ｒ１＿ｓｕｂｓｅｔｊ＝Ｒ１ｓｅｔ、ｊ＝１〜Ｎｕｍであり、及び
Ｇａｐ１ｊ＝Ｇａｐ１、ｊ＝１〜Ｎｕｍである。
【０１９７】
本実施形態では、端末は、ランダムアクセスチャネルを介してランダムアクセス信号を送信した後、図５５に示すように、ランダムアクセスレスポンス（Random Access Response：ＲＡＲ）メッセージを検出する。ここで、「ＲＡＲ検出タイムウィンドウ（RAR Detection Time Window）」は、基地局がＲＡＲメッセージ又はＲＡＲメッセージをスケジューリングするための制御情報を送信する位置である。ここで、「ＲＡＲ検出タイムウィンドウ」の開始位置とＰＲＡＣＨ用のリソースの終了位置との間にｋミリ秒（ｍｓ）のギャップがある。ＰＲＡＣＨの最後に送信ギャップ１が設定されている場合、ｋミリ秒は、「ＲＡＲ検出タイムウィンドウ」の開始位置とＰＲＡＣＨの最後に設定された送信ギャップ１との間のギャップを指す。
【０１９８】
［実施形態２１］
また、本開示の一実施形態は、記憶媒体を提供する。記憶媒体は、以下のステップを実行するためのプログラムコードを格納するように構成する。第１の端末に割り当てられた第１のタイプのチャネルのリソースと、第２の端末に割り当てられた第２のタイプのチャネルのリソースとが指定された条件を満たすとき、第２のタイプのチャネルのリソース内の第１のリソースが位置する時間領域位置に延期処理を実行する。
なお、本実施形態において、上述した記憶媒体は、以下に限定されるものではないが、ＵＳＢメモリ、読取専用メモリ（Read-Only Memory：ＲＯＭ）、ランダムアクセスメモリ（Random Access Memory：ＲＡＭ）、モバイルハードディスク、磁気ディスク、ＣＤ−ＲＯＭ、並びにプログラムコードを格納できる他の媒体を含む。
【０１９９】
オプションとして、本実施形態において、プロセッサは、記憶媒体に記憶されたプログラムコードに従って、上記実施形態の方法ステップを実行する。
上述した本開示のモジュール又はステップは、汎用演算デバイスによって実施でき、これは、単一の演算デバイスに配置してもよく、複数の演算デバイスのネットワークにわたって分散してもよいことは、当業者にとって明らかである。オプションとして、これらは、演算デバイスによって実行可能なプログラムコードとして実現してもよく、これらは、記憶装置に格納し、演算デバイスによって実行してもよく、ここに示し、説明したステップとは異なる順序で実行してもよく、個別に集積回路モジュールとして実現してもよく、複数のモジュール又はステップを単一の集積回路モジュールで実現してもよい。したがって、本開示は、特定のハードウェア、ソフトウェア、及びこれらの組み合わせに限定されない。
以上は、本開示の好ましい実施形態の単なる例示であり、本開示を限定することを意図するものではない。当業者は、様々な変更及び修正を行うことができる。本開示の思想及び原理内のあらゆる変更、均等物による置換、改善等は、本開示の範囲内に含まれる。
【産業上の利用可能性】
【０２００】
本開示の一実施形態によれば、第１のタイプのチャネルのリソース及び異なる端末の第２のタイプのチャネルのリソースが特定の条件を満たすとき、第２のタイプのチャネルのリソースのうち第１のリソースが位置する時間領域の位置に対して延期処理が実行される。これにより、異なる端末に対して設定されているリソースの同時処理を回避できる。これにより、従来の異なる端末に対して設定されているチャネルのリソース間での衝突回避の問題を解決でき、チャネルのリソースの衝突を回避し、通信効率を向上させることができる。
【図１】
2020115689.tif 000023
【図２】
2020115689.tif 000024
【図３】
2020115689.tif 000025
【図４】
2020115689.tif 000026
【図５】
2020115689.tif 000027
【図６】
2020115689.tif 000028
【図７】
2020115689.tif 000029
【図８】
2020115689.tif 000030
【図９】
2020115689.tif 000031
【図１０】
2020115689.tif 000032
【図１１】
2020115689.tif 000033
【図１２】
2020115689.tif 000034
【図１３】
2020115689.tif 000035
【図１４】
2020115689.tif 000036
【図１５】
2020115689.tif 000037
【図１６】
2020115689.tif 000038
【図１７】
2020115689.tif 000039
【図１８】
2020115689.tif 000040
【図１９】
2020115689.tif 000041
【図２０】
2020115689.tif 000042
【図２１】
2020115689.tif 000043
【図２２】
2020115689.tif 000044
【図２３】
2020115689.tif 000045
【図２４】
2020115689.tif 000046
【図２５】
2020115689.tif 000047
【図２６】
2020115689.tif 000048
【図２７】
2020115689.tif 000049
【図２８】
2020115689.tif 000050
【図２９】
2020115689.tif 000051
【図３０】
2020115689.tif 000052
【図３１】
2020115689.tif 000053
【図３２】
2020115689.tif 000054
【図３３】
2020115689.tif 000055
【図３４】
2020115689.tif 000056
【図３５】
2020115689.tif 000057
【図３６】
2020115689.tif 000058
【図３７】
2020115689.tif 000059
【図３８】
2020115689.tif 000060
【図３９】
2020115689.tif 000061
【図４０】
2020115689.tif 000062
【図４１】
2020115689.tif 000063
【図４２】
2020115689.tif 000064
【図４３】
2020115689.tif 000065
【図４４】
2020115689.tif 000066
【図４５】
2020115689.tif 000067
【図４６】
2020115689.tif 000068
【図４７】
2020115689.tif 000069
【図４８】
2020115689.tif 000070
【図４９】
2020115689.tif 000071
【図５０】
2020115689.tif 000072
【図５１】
2020115689.tif 000073
【図５２】
2020115689.tif 000074
【図５３】
2020115689.tif 000075
【図５４】
2020115689.tif 000076
【図５５】
2020115689.tif 000077